(57)【特許請求の範囲】
【請求項１】
ステープルが装填されるマガジンを有した収納手段と、
前記マガジンに装填されたステープルを、前記マガジンのマガジン前壁方向に押圧するプッシャを有したステープル押圧手段と、
前記マガジンに装填されたステープルを打ち出すドライバを有した打出手段と、
前記ドライバで打ち出されて１本に分離されたステープルの針クラウンの形状を保持する針クラウンガイドを有したステープル形状保持手段と、
前記ドライバで打ち出され、用紙を貫通したステープルの針足を折り曲げるクリンチャを有した針足折曲手段とを備え、
前記ステープル形状保持手段は、前記針クラウンガイドから前記マガジン前壁方向に突出し、１本に分離されたステープルの長手方向における中央部付近を支える突き出し部と、前記突き出し部に掛かる荷重を前記針クラウンガイドに伝達する連結部とを備え、
前記突き出し部は、前記針クラウンガイドの幅方向における中央部付近を切り起こす形態で構成され、前記連結部は、前記突き出し部の基端側の側面を前記針クラウンガイドに当接させることで構成される
ことを特徴とするステープラ。
【請求項２】
ステープルが装填されるマガジンを有した収納手段と、
前記マガジンに装填されたステープルを、前記マガジンのマガジン前壁方向に押圧するプッシャを有したステープル押圧手段と、
前記マガジンに装填されたステープルを打ち出すドライバを有した打出手段と、
前記ドライバで打ち出されて１本に分離されたステープルの針クラウンの形状を保持する針クラウンガイドを有したステープル形状保持手段と、
前記ドライバで打ち出され、用紙を貫通したステープルの針足を折り曲げるクリンチャを有した針足折曲手段とを備え、
前記ステープル形状保持手段は、前記針クラウンガイドから前記マガジン前壁方向に突出し、１本に分離されたステープルの長手方向における中央部付近を支える突き出し部と、前記突き出し部に掛かる荷重を前記針クラウンガイドに伝達する連結部とを備え、
前記連結部は、前記突き出し部の側面を前記針クラウンガイド部と一体にして構成される
ことを特徴とするステープラ。
【請求項３】
前記ステープル形状保持手段は、弾性を有する材質で構成され、ステープルの打ち出し方向に沿った一方の端部に、前記針クラウンガイドを前記マガジン前壁に対して離接する方向に変位させるバネ部を備え、前記突き出し部が前記針クラウンガイドと一体に構成される
ことを特徴とする請求項１または請求項２に記載のステープラ。
【請求項４】
前記ステープル形状保持手段は、前記マガジン前壁に形成された溝部に前記突き出し部が出没可能に突出する
ことを特徴とする請求項３に記載のステープラ。
【発明の詳細な説明】
【技術分野】
【０００１】
本発明は、マガジンに装填されたステープルを打ち出して用紙を綴じるステープラに関する。
【背景技術】
【０００２】
用紙を綴じるステープラは、ステープルが収納されるマガジンと、マガジンに装填されたステープルをマガジン前壁に押圧するプッシャと、マガジンに収納されたステープルを打ち出すドライバと、ドライバを押圧するハンドルと、用紙を貫通したステープルの針足を折り曲げるクリンチャを備える。
【０００３】
細針のステープルで枚数の多い用紙を綴じるステープラでは、ステープルが貫通抵抗に負けてステープルの針クラウンが下方向に変形する所謂Ｍ字座屈が発生しやすい。そこで、従来から、１本に分離されたステープルの針クラウンを保持する受け金具を、マガジン前壁に対向して備えたステープルが提案されている（例えば、特許文献１参照）。
【０００４】
このようなステープラでは、受け金具に設けた弾性爪片が、ステープルの打ち出しに伴ってステープルの針クラウンの中央部付近に弾力的に当接することで、ステープルを座屈させないようにガイドできるようにした構成となっている。
【先行技術文献】
【特許文献】
【０００５】
【特許文献１】実公平１−１１４２７号公報
【発明の概要】
【発明が解決しようとする課題】
【０００６】
従来のステープラでは、ステープルの針クラウンの中央部付近に弾性爪片が当接できるようにするため、受け金具が三叉のフォーク形状に構成される。このため、弾性爪片の幅が細くなり、ステープラの針クラウンを支える荷重が低下し、用紙の綴じ枚数が増加すると、針クラウンの形状を保持することができない。
【０００７】
また、ステープルの打ち出しに伴って、幅の細い弾性爪片に応力が集中して繰り返し弾性変形することで、耐久性が低下する。板状のバネ材で構成される弾性爪片の板厚を増やすと、ステープルの針クラウンを支える荷重を増やすことはできるが、応力集中による耐久性の低下を解消することができず、また、打ち出しに必要な操作荷重が増加する。
【０００８】
一方、弾性爪片の幅を増やすことでも、ステープルの針クラウンを支える荷重を増やすことができる。しかし、マガジン前壁の中央部付近が前方に湾曲する方向に変形していると、ステープルの打ち出しに伴って、マガジン前壁の変形に合わせてステープルも変形し、弾性爪片が針クラウンの中央部付近では接しなくなり、やはり針クラウンの形状を保持することができない。
【０００９】
本発明は、このような課題を解決するためになされたもので、ステープルの針クラウンの形状を保持できるようにしたステープラを提供することを目的とする。
【課題を解決するための手段】
【００１０】
上述した課題を解決するため、本発明は、ステープルが装填されるマガジンを有した収納手段と、マガジンに装填されたステープルを、マガジンのマガジン前壁方向に押圧するプッシャを有したステープル押圧手段と、マガジンに装填されたステープルを打ち出すドライバを有した打出手段と、ドライバで打ち出されて１本に分離されたステープルの針クラウンの形状を保持する針クラウンガイドを有したステープル形状保持手段と、ドライバで打ち出され、用紙を貫通したステープルの針足を折り曲げるクリンチャを有した針足折曲手段とを備え、ステープル形状保持手段は、針クラウンガイドからマガジン前壁方向に突出し、１本に分離されたステープルの長手方向における中央部付近を支える突き出し部と、突き出し部に掛かる荷重を針クラウンガイドに伝達する連結部を備え、突き出し部は、針クラウンガイドの幅方向における中央部付近を切り起こす形態で構成され、連結部は、突き出し部の基端側の側面を針クラウンガイドに当接させることで構成されるステープラである。連結部は、突き出し部の側面を針クラウンガイド部と一体にして構成されても良い。
【００１１】
本発明のステープラでは、ステープルがドライバに押圧されて打ち出されると、１本に分離されたステープルの打ち出しに伴って、ステープルの針クラウンにより突き出し部が押圧される。突き出し部が押圧されると、突き出し部に掛かる荷重が連結部を介して針クラウンガイドに伝達され、針クラウンガイド全体の変位によって突き出し部が後退する。
【００１２】
１本に分離されたステープルの打ち出しに伴って、ステープルは、針クラウンの長手方向の中央部が突き出し部と接する。これにより、１本に分離されたステープルを打ち出す過程で、ステープルの針クラウンの長手方向における中央部付近が、突き出し部によりステープルの打ち出し方向と逆方向から支えられる。
【発明の効果】
【００１３】
本発明では、１本に分離されたステープルを打ち出す過程で、ステープルの針クラウンの長手方向における中央部付近が突き出し部により支えられるので、針クラウンの変形を抑えることができ、ステープルの座屈の発生を抑えることができる。
【００１４】
また、ステープルの打ち出しに伴い突き出し部に掛かる荷重が連結部を介して針クラウンガイドに伝達されるので、ステープルの針クラウンを支えるための荷重を、突き出し部のみならず針クラウンガイド全体で発生させることができ、ステープルの形状を確実に保持することができる。更に、突き出し部への応力集中が緩和されて突き出し部のみが繰り返し変形することが抑えられ、耐久性を向上させることができる。
【図面の簡単な説明】
【００１５】
【図１】本実施の形態のステープラの内部構成の詳細を示す側断面図である。
【図２】本実施の形態のステープラの内部構成を示す側断面図である。
【図３】カバーを外した状態での本実施の形態のステープラの側面図である。
【図４】カバーを外した状態での本実施の形態のステープラの内部構成を示す側断面図である。
【図５】本実施の形態のステープラの内部構成を示す斜視図である。
【図６】本実施の形態のステープラの内部構成を示す斜視図である。
【図７】本実施の形態のステープラの内部構成を示す一部破断斜視図である。
【図８】本実施の形態のステープラの外観を示す側面図である。
【図９】本実施の形態のステープラの外観を示す斜視図である。
【図１０】本実施の形態のステープラの外観を示す斜視図である。
【図１１】本実施の形態のステープラで用いられるステープルの一例を示す説明図である。
【図１２】本実施の形態の下ハンドルユニットの一例を示す分解斜視図である。
【図１３】本実施の形態のクリンチャユニットの一例を示す分解斜視図である。
【図１４】本実施の形態の上ハンドルユニットの一例を示す分解斜視図である。
【図１５】クリンチャユニットの一例を示す正面図である。
【図１６】クリンチャユニットの一例を示す要部平面図である。
【図１７】クリンチャユニットの一例を示す要部側面図である。
【図１８】クリンチャユニットの一例を示す外観斜視図である。
【図１９】クリンチャユニットを待機位置で保持する構成を示す要部斜視図である。
【図２０】クリンチャユニットを待機位置で保持する構成を示す要部側面図である。
【図２１】クリンチャを保持する仕切り板の一例を示す構成図である。
【図２２】マガジンの一例を示す要部側断面図である。
【図２３】マガジンの一例を示す要部上面図である。
【図２４】ステープルガイドの一例を示す要部斜視図である。
【図２５】マガジンにステープルガイドが取り付けられた状態を示す要部側断面図である。
【図２６】ステープルホルダの一例を示す斜視図である。
【図２７】ステープルホルダの一例を示す側面図である。
【図２８】マガジンにステープルホルダが取り付けられた状態を示す要部側断面図である。
【図２９】ステープルホルダの取付例を示す正面断面図である。
【図３０】ステープルホルダの取付例を示す側断面図である。
【図３１】ロック機構の一例を示す側断面図である。
【図３２】ロック機構の一例を示す要部平面断面図である。
【図３３】ドライバの一例を示す構成図である。
【図３４】フロントカバーの一例を示す斜視図である。
【図３５】本実施の形態のステープラで用紙を綴じる動作を示す側断面図である。
【図３６】本実施の形態のステープラで用紙を綴じる動作を示す斜視図である。
【図３７】本実施の形態のステープラにおけるステープルの打ち出し動作の一例を示す動作説明図である。
【図３８】本実施の形態のステープラにおけるステープルの打ち出し動作の一例を示す動作説明図である。
【図３９】本実施の形態のステープラにおけるステープルの打ち出し動作の一例を示す動作説明図である。
【図４０】本実施の形態の針足ガイド部の変形例を示す斜視図である。
【図４１】本実施の形態の針足ガイド部の変形例を示す斜視図である。
【図４２】本実施の形態の針足ガイド部の変形例を示す斜視図である。
【図４３】本実施の形態のステープラにおけるステープルホルダの動作の一例を示す動作説明図である。
【図４４】本実施の形態のステープラにおけるステープルホルダの動作の一例を示す動作説明図である。
【図４５】本実施の形態のステープラにおけるステープルホルダの動作の一例を示す動作説明図である。
【図４６】本実施の形態のステープラにおけるステープルホルダの動作の一例を示す動作説明図である。
【図４７】従来のステープラにおけるステープルホルダの動作の一例を示す動作説明図である。
【図４８】従来のステープラにおけるステープルホルダの動作の一例を示す動作説明図である。
【図４９】従来のステープラにおけるステープルホルダの動作の一例を示す動作説明図である。
【図５０】従来の弾性爪片を有したステープルホルダの一例を示す斜視図である。
【図５１】本実施の形態のステープルホルダと従来のステープルホルダに掛かる応力を示すグラフである。
【図５２】本実施の形態のステープルホルダの変形例を示す斜視図である。
【図５３】本実施の形態のステープルホルダの変形例を示す断面図である。
【図５４】本実施の形態のステープルホルダの他の変形例を示す斜視図である。
【図５５】本実施の形態のステープルホルダの他の変形例を示す斜視図である。
【図５６】スライダの動作の一例を示す要部側面図である。
【図５７】変形例のステープラで用紙を綴じる動作を示す側断面図である。
【図５８】クリンチャユニットの動作の一例を示す動作説明図である。
【図５９】クリンチャユニットの動作の一例を示す動作説明図である。
【図６０】クリンチャユニットの動作の一例を示す動作説明図である。
【図６１】クリンチャユニットの変形例を示す分解斜視図である。
【図６２】変形例のクリンチャユニットの動作の一例を示す動作説明図である。
【発明を実施するための形態】
【００１６】
以下、図面を参照して、本発明のステープラの実施の形態について説明する。図１は、本実施の形態のステープラの内部構成の詳細を示す側断面図、図２は、本実施の形態のステープラの内部構成を示す側断面図、図３は、カバーを外した状態での本実施の形態のステープラの側面図、図４は、カバーを外した状態での本実施の形態のステープラの内部構成を示す側断面図である。
【００１７】
また、図５及び図６は、本実施の形態のステープラの内部構成を示す斜視図、図７は、本実施の形態のステープラの内部構成を示す一部破断斜視図である。更に、図８は、本実施の形態のステープラの外観を示す側面図、図９及び図１０は、本実施の形態のステープラの外観を示す斜視図である。また、図１１は、本実施の形態のステープラで用いられるステープルの一例を示す説明図である。
【００１８】
本実施の形態のステープラ１Ａは、針足の短いステープルと針足の長いステープルを選択して装填可能に構成され、ステープルの針足の長さによらず、マガジンから打ち出されるステープルの姿勢の変化を抑えられるようにして、綴じ不良の発生を防止できるようにしたものである。
【００１９】
まず、図１１を参照して、本実施の形態のステープラ１Ａで使用可能なステープルについて説明する。図１１（ａ）に示す針足の長いステープル１０Ｌは、第１のステープルの一例で、最大の綴じ枚数として８０枚程度の用紙を綴じることを想定している。また、図１１（ｂ）に示す針足の短いステープル１０Ｓは、第２のステープルの一例で、最大の綴じ枚数として４０枚程度の用紙を綴じることを想定している。
【００２０】
ステープル１０Ｌは、針クラウン１０Ｌａと、針クラウン１０Ｌａの両端から一の方向に略平行となるように折り曲げられて構成される２本の針足１０Ｌｂを備え、複数本のステープル１０Ｌが接着で一体とされてステープル束が構成される。ステープル１０Ｓも同様に、針クラウン１０Ｓａと、針クラウン１０Ｓａの両端から一の方向に略平行となるように折り曲げられて構成される２本の針足１０Ｓｂを備え、複数本のステープル１０Ｓが接着で一体とされてステープル束が構成される。
【００２１】
標準的な１枚の用紙の厚さを０．０９ｍｍとすると、８０枚の用紙は、厚さが約７．２ｍｍとなる。そこで、ステープル１０Ｌでは、針足１０Ｌｂで８０枚程度の用紙を貫通させてクリンチするために、針足１０Ｌｂの長さＬ１Ｌを１０．０ｍｍとした。
【００２２】
さて、針足の長さを針クラウンの幅の半分未満としたステープルでは、最小の綴じ枚数である２枚の用紙を綴じた場合に、両針足の先端が重なることはない。しかし、針足を長くすると、針クラウンの幅も広くなり、見栄えが悪い。
【００２３】
そこで、針足の長さを針クラウンの幅の半分以上としたステープルでは、２本の針足を、針クラウンに直交する前後方向にずらして折り曲げられるようにすることで、最小の綴じ枚数である２枚の用紙を綴じた場合でも、２本の針足が重ならないようにしている。
【００２４】
一方、針足の長さを針クラウンの幅と同等以上とすると、最小の綴じ枚数である２枚の用紙を綴じた場合に、針足の先端が、用紙の表面側の針クラウンより幅方向の外側に突出する形態になり、見栄えが悪い。
【００２５】
そこで、ステープル１０Ｌでは、針足１０Ｌｂの長さを針クラウン１０Ｌａの幅の同等未満とし、本例では、針クラウン１０Ｌａの外寸Ｌ２Ｌを略１１．４ｍｍとした。針クラウン１０Ｌａの外寸に対して、針足１０Ｌｂの長さを略同等未満に構成することで、最小の綴じ枚数である２枚の用紙を綴じた場合でも、針足１０Ｌｂの先端が、用紙の表面側の針クラウン１０Ｌａより幅方向の外側に突出せず、見栄えが向上する。
【００２６】
ステープル１０Ｓは、４０枚程度の用紙を貫通させてクリンチするために、針足１０Ｓｂの長さＬ１Ｓを６．０ｍｍとした。また、針クラウン１０Ｓａの外寸Ｌ２Ｓは、ステープル１０Ｌとの互換性を考慮して、略１１．４ｍｍとした。ここで、上述した各ステープルの寸法は一例であり、針足の長さが異なり、かつ、異なる針足間で互換性があるステープルであれば他の寸法でも良い。
【００２７】
＜本実施の形態のステープラの全体構成例＞
次に、各図を参照して、本実施の形態のステープラ１Ａの実施の形態について説明する。本実施の形態のステープラ１Ａは、下ハンドルユニット１１ａと上ハンドルユニット１１ｂを備え、本例では、下ハンドルユニット１１ａを机等の作業場所に置き、上ハンドルユニット１１ｂを押す形態で使用される。
【００２８】
図１２は、本実施の形態の下ハンドルユニットの一例を示す分解斜視図、図１３は、本実施の形態のクリンチャユニットの一例を示す分解斜視図である。下ハンドルユニット１１ａは、用紙を貫通したステープル１０Ｌの針足１０Ｌｂ及びステープル１０Ｓの針足１０Ｓｂを曲げるクリンチャユニット２Ａと、クリンチャユニット２Ａの待機位置でのロック及びロックの解除を行うスライダ３を備える。また、下ハンドルユニット１１ａは、クリンチャユニット２Ａ及びスライダ３が取り付けられる下ハンドルフレーム４を備える。
【００２９】
図１４は、本実施の形態の上ハンドルユニットの一例を示す分解斜視図である。上ハンドルユニット１１ｂは、針足の長いステープル１０Ｌ及び針足の短いステープル１０Ｓの両方が装填可能で、ステープル１０Ｌとステープル１０Ｓの一方が選択されて装填されるマガジンユニット５を備える。
【００３０】
また、上ハンドルユニット１１ｂは、マガジンユニット５に収納されたステープル１０Ｌあるいはステープル１０Ｓを打ち出すドライバユニット６を備える。更に、上ハンドルユニット１１ｂは、マガジンユニット５に収納されたステープル１０Ｌあるいはステープル１０Ｓを打ち出す力をドライバユニット６に加えるハンドルユニット７を備える。
【００３１】
＜クリンチャユニットの構成例＞
図１５は、クリンチャユニットの一例を示す正面図、図１６は、クリンチャユニットの一例を示す要部平面図、図１７は、クリンチャユニットの一例を示す要部側面図、図１８は、クリンチャユニットの一例を示す外観斜視図である。
【００３２】
また、図１９は、クリンチャユニットを待機位置で保持する構成を示す要部斜視図、図２０は、クリンチャユニットを待機位置で保持する構成を示す要部側面図である。更に、図２１は、クリンチャを保持する仕切り板の一例を示す構成図である。
【００３３】
次に、各図を参照して、クリンチャユニット２Ａの構成について説明する。クリンチャユニット２Ａは針足折曲手段の一例で、用紙を貫通したステープル１０Ｌの針足１０Ｌｂあるいはステープル１０Ｓの針足１０Ｓｂを折り曲げる一対のクリンチャ２０Ｌ，２０Ｒと、クリンチャ２０Ｌとクリンチャ２０Ｒを支持するクリンチャホルダ２１を備える。
【００３４】
クリンチャユニット２Ａは、クリンチャ２０Ｌとクリンチャ２０Ｒの回転動作でステープル１０Ｌの針足１０Ｌｂあるいはステープル１０Ｓの針足１０Ｓｂを折り曲げる構成である。そして、針足１０Ｌｂあるいは針足１０Ｓｂの折り曲げを開始する動きとして、クリンチャ２０Ｌとクリンチャ２０Ｒを近づける方向に移動させることで、針足１０Ｌｂあるいは針足１０Ｓｂを内側に折り曲げる力を加えられるようにする。
【００３５】
このため、クリンチャユニット２Ａは、クリンチャホルダ２１の昇降方向への移動をガイドすると共に、クリンチャ２０Ｌ，２０Ｒの回転及び離接する方向への移動をガイドするクリンチャ駆動機構としての一対のクリンチャリンク２２Ｌ，２２Ｒを備える。更に、クリンチャユニット２Ａは、クリンチャホルダ２１の昇降動作でクリンチャ２０Ｌ，２０Ｒを押し上げるクリンチャ受２３を備える。
【００３６】
また、クリンチャユニット２Ａは、クリンチャリンク２２Ｌ，２２Ｒを回転可能に支持すると共に、クリンチャ２０Ｌ，２０Ｒが取り付けられたクリンチャホルダ２１の昇降方向への移動をガイドするクリンチャフレーム２４を備える。更に、クリンチャユニット２Ａは、クリンチャホルダ２１を押し上げるリターンバネ２５と、クリンチャ２０Ｌとクリンチャ２０Ｒの間を仕切ると共に、クリンチャ２０Ｌ，２０Ｒの向きを保持する仕切り板２６を備える。
【００３７】
クリンチャユニット２Ａは、図１６に示すように、クリンチャ２０Ｌとクリンチャ２０Ｒが、ステープル１０Ｌの針クラウン１０Ｌａ及びステープル１０Ｓの針クラウン１０Ｓａに沿った左右方向、及び針クラウン１０Ｌａ，１０Ｓａに対して直交する前後方向に位置をずらして配置される。
【００３８】
クリンチャ２０Ｌは、ステープル１０Ｌの一方の針足１０Ｌｂ及びステープル１０Ｓの一方の針足１０Ｓｂに対向して配置される。クリンチャ２０Ｌは、針足１０Ｌｂ，１０Ｓｂに対向する上面に、図１７に示すように、前後方向に位置をずらして配置されるクリンチャ２０Ｒに向けて下降する方向に傾斜したクリンチャ面２０Ｌａが形成される。また、クリンチャ２０Ｌは、クリンチャ受２３に対向する一方の端部側の下面に、クリンチャ受２３に押圧される押圧面２０Ｌｂが形成される。
【００３９】
クリンチャ２０Ｌは、他方の端部側が、軸２０Ｌｃによりクリンチャリンク２２Ｌの上端側に回転可能に支持されると共に、クリンチャホルダ２１に回転及び水平方向に移動可能に支持される。
【００４０】
クリンチャ２０Ｒは、ステープル１０Ｌの他方の針足１０Ｌｂ及びステープル１０Ｓの他方の針足１０Ｓｂに対向して配置される。クリンチャ２０Ｒは、針足１０Ｌｂ，１０Ｓｂに対向する上面に、図１７に示すように、前後方向に位置をずらして配置されるクリンチャ２０Ｌに向けて下降する方向に傾斜したクリンチャ面２０Ｒａが形成される。また、クリンチャ２０Ｒは、クリンチャ受２３に対向する一方の端部側の下面に、クリンチャ受２３に押圧される押圧面２０Ｒｂが形成される。
【００４１】
クリンチャ２０Ｒは、他方の端部側が、軸２０Ｒｃによりクリンチャリンク２２Ｒの上端側に回転可能に支持されると共に、クリンチャホルダ２１に回転及び水平方向に移動可能に支持される。
【００４２】
クリンチャホルダ２１は、ステープル１０Ｌの針クラウン１０Ｌａ及びステープル１０Ｓの針クラウン１０Ｓａに直交する前後方向に沿って前側ホルダ２１ａと後側ホルダ２１ｂを備える。クリンチャホルダ２１は、前側ホルダ２１ａと後側ホルダ２１ｂが、仕切り板２６を挟んで重ねられたクリンチャ２０Ｌとクリンチャ２０Ｒが挿入される空間を設けて対向する。クリンチャホルダ２１は、本例では、板材を折り曲げて前側ホルダ２１ａと後側ホルダ２１ｂが形成される。
【００４３】
クリンチャホルダ２１は、クリンチャ２０Ｌの軸２０Ｌｃが挿入されるガイド穴２１Ｌと、クリンチャ２０Ｒの軸２０Ｒｃが挿入されるガイド穴２１Ｒが、前側ホルダ２１ａと後側ホルダ２１ｂに形成される。ガイド穴２１Ｌとガイド穴２１Ｒは、クリンチャ２０Ｌとクリンチャ２０Ｒが離接する方向に沿って水平方向の延在する長穴で構成される。
【００４４】
クリンチャホルダ２１は、クリンチャ２０Ｌの軸２０Ｌｃがガイド穴２１Ｌに挿入されることで、クリンチャ２０Ｌを回転可能かつクリンチャ２０Ｒに対して離接する方向に移動可能に支持する。また、クリンチャホルダ２１は、クリンチャ２０Ｒの軸２０Ｒｃがガイド穴２１Ｒに挿入されることで、クリンチャ２０Ｒを回転可能かつクリンチャ２０Ｌに対して離接する方向に移動可能に支持する。
【００４５】
クリンチャホルダ２１は、クリンチャ２０Ｌ，２０Ｒに対して後方に位置し、スライダ３が接する後側ホルダ２１ｂに、リターンバネ２５に押し上げられる力を受ける受け部２１ｃが形成される。受け部２１ｃは、後側ホルダ２１ｂの左右両側の下面に形成され、リターンバネ２５が下方から接して押し上げられる。
【００４６】
また、クリンチャホルダ２１は、クリンチャ２０Ｌ，２０Ｒに対して前方に位置する前側ホルダ２１ａに、リターンバネ２５での押し上げによる移動を規制する高さ規制部２１ｄが形成される。高さ規制部２１ｄは、前側ホルダ２１ａの左右両側から側方へ突出して形成される。
【００４７】
クリンチャリンク２２Ｌは、下端側が軸２２Ｌａによりクリンチャフレーム２４に回転可能に支持されると共に、上端側にクリンチャ２０Ｌが軸２０Ｌｃによって回転可能に支持される。クリンチャ２０Ｌ及びクリンチャリンク２２Ｌは、クリンチャホルダ２１のガイド穴２１Ｌに、軸２０Ｌｃがガイド穴２１Ｌの長穴形状に沿って移動可能に挿入される。
【００４８】
クリンチャリンク２２Ｒは、下端側が軸２２Ｒａによりクリンチャフレーム２４に回転可能に支持されると共に、上端側にクリンチャ２０Ｒが軸２０Ｒｃによって回転可能に支持される。クリンチャ２０Ｒ及びクリンチャリンク２２Ｒは、クリンチャホルダ２１のガイド穴２１Ｒに、軸２０Ｒｃがガイド穴２１Ｒの長穴形状に沿って移動可能に挿入される。
【００４９】
これにより、クリンチャリンク２２Ｌは、クリンチャ２０Ｌを回転可能に支持すると共に、クリンチャホルダ２１の昇降動作で、クリンチャ２０Ｌをクリンチャ２０Ｒに対して離接する方向に移動させる。クリンチャリンク２２Ｒは、クリンチャ２０Ｒを回転可能に支持すると共に、クリンチャホルダ２１の昇降動作で、クリンチャ２０Ｒをクリンチャ２０Ｌに対して離接する方向に移動させる。
【００５０】
クリンチャ受２３は、クリンチャホルダ２１の下降動作によって、前側ホルダ２１ａと後側ホルダ２１ｂの間に入り、クリンチャ２０Ｌとクリンチャ２０Ｒを押圧する位置でクリンチャフレーム２４に取り付けられる。
【００５１】
クリンチャフレーム２４は、左右方向に沿った一方の側に、クリンチャリンク２２Ｌが軸２２Ｌａにより回転可能に支持されると共に  左右方向に沿った他方の側に、クリンチャリンク２２Ｒが軸２２Ｒａにより回転可能に支持される。
【００５２】
クリンチャフレーム２４は、クリンチャホルダ２１の昇降動作をガイドするクリンチャガイド２４ａを備える。クリンチャガイド２４ａは、クリンチャホルダ２１の前側ホルダ２１ａと後側ホルダ２１ｂとの間の空間に合わせた幅を有し、前側ホルダ２１ａと後側ホルダ２１ｂとの間に挿入される。これにより、クリンチャホルダ２１の前傾及び後傾が抑えられながら、クリンチャホルダ２１の昇降動作がガイドされる。
【００５３】
クリンチャリンク２２Ｌとクリンチャリンク２２Ｒは、クリンチャフレーム２４に支持される下端側より狭い間隔で、上端側がクリンチャホルダ２１に支持される。クリンチャリンク２２Ｌは、クリンチャホルダ２１の昇降動作によって、軸２２Ｌａを支点に回転し、クリンチャリンク２２Ｒは、クリンチャホルダ２１の昇降動作によって、軸２２Ｒａを支点に回転する。
【００５４】
クリンチャホルダ２１の昇降動作で、クリンチャリンク２２Ｌとクリンチャリンク２２Ｒは、下端側の軸２２Ｌａと軸２２Ｒａの間隔は変化せず一定である。これに対して、上端側の軸２０Ｌｃと軸２０Ｒｃの間隔は変化する。
【００５５】
すなわち、クリンチャリンク２２Ｌとクリンチャリンク２２Ｒは、下端側より上端側の間隔が狭く構成されることで、クリンチャホルダ２１の下降動作で、クリンチャリンク２２Ｌは、軸２２Ｌａを支点に上端側がクリンチャリンク２２Ｒに近づく方向に回転する。また、クリンチャホルダ２１の下降動作で、クリンチャリンク２２Ｒは、軸２２Ｒａを支点に上端側がクリンチャリンク２２Ｌに近づく方向に回転する。
【００５６】
また、クリンチャホルダ２１の上昇動作で、クリンチャリンク２２Ｌは、軸２２Ｌａを支点に上端側がクリンチャリンク２２Ｒから離れる方向に回転する。また、クリンチャホルダ２１の上昇動作で、クリンチャリンク２２Ｒは、軸２２Ｒａを支点に上端側がクリンチャリンク２２Ｌから離れる方向に回転する。
【００５７】
これにより、クリンチャホルダ２１の下降動作で、クリンチャリンク２２Ｌは、軸２０Ｌｃがガイド穴２１Ｌに沿って移動し、クリンチャリンク２２Ｒは、軸２０Ｒｃがガイド穴２１Ｒに沿って移動して、軸２０Ｌｃと軸２０Ｒｃの間隔が狭くなる。従って、クリンチャホルダ２１の下降動作で、クリンチャ２０Ｌとクリンチャ２０Ｒが近づく方向に移動する。
【００５８】
また、クリンチャホルダ２１の上昇動作で、クリンチャリンク２２Ｌは、軸２０Ｌｃがガイド穴２１Ｌに沿って移動し、クリンチャリンク２２Ｒは、軸２０Ｒｃがガイド穴２１Ｒに沿って移動して、軸２０Ｌｃと軸２０Ｒｃの間隔が広くなる。従って、クリンチャホルダ２１の上昇動作で、クリンチャ２０Ｌとクリンチャ２０Ｒが離れる方向に移動する。
【００５９】
次に、各図を参照して、クリンチャユニットを待機位置で保持する構成について説明する。リターンバネ２５は、本例ではねじりコイルバネで構成され、一方の端部である前端側がクリンチャフレーム２４に固定される。また、リターンバネ２５は、図２０に示すように、後端側の一方の端部が、クリンチャホルダ２１の後側ホルダ２１ｂの左右の一方の側の受け部２１ｃと接し、後端側の他方の端部が、後側ホルダ２１ｂの左右の他方の側の受け部２１ｃと接する。
【００６０】
クリンチャホルダ２１は、図１９に示すように、前側ホルダ２１ａの左右の一方の側の高さ規制部２１ｄが、クリンチャフレーム２４にクリンチャリンク２２Ｌを支持する軸２２Ｌａに接する。また、クリンチャホルダ２１は、前側ホルダ２１ａの左右の他方の側の高さ規制部２１ｄが、クリンチャフレーム２４にクリンチャリンク２２Ｒを支持する軸２２Ｒａに接する。
【００６１】
これにより、クリンチャホルダ２１は、リターンバネ２５により受け部２１ｃが左右両側で略均等な力を受けて、後側ホルダ２１ｂが押し上げられると共に、前側ホルダ２１ａで、左右の高さ規制部２１ｄによってリターンバネ２５での押し上げによる移動が規制される。
【００６２】
クリンチャホルダ２１は、クリンチャ２０Ｌ，２０Ｒに対して後方に位置する後側ホルダ２１ｂがリターンバネ２５で押し上げられ、クリンチャ２０Ｌ，２０Ｒに対して前方に位置する前側ホルダ２１ａが、軸２２Ｌａ，２２Ｒａで上方向への移動が規制される。
【００６３】
これにより、クリンチャ２０Ｌ，２０Ｒが取り付けられたクリンチャホルダ２１は、リターンバネ２５で押し上げられる待機状態で前傾した状態を保つ。なお、本例では、クリンチャユニット２Ａの前側にリターンバネ２５を配置する構成としたが、クリンチャユニット２Ａの後側にリターンバネを配置し、後側ホルダ２１ｂに力を掛けるような構成としても良い。
【００６４】
次に、各図を参照して、クリンチャ２０Ｌ，２０Ｒを待機状態の向きで保持する構成について説明する。仕切り板２６は、クリンチャ２０Ｌの軸２０Ｌｃが挿入される軸受け部２６Ｌａと、クリンチャ２０Ｒの軸２０Ｒｃが挿入される軸受け部２６Ｒａを備える。
【００６５】
仕切り板２６は、クリンチャ２０Ｌとクリンチャ２０Ｒの間に挿入され、軸２０Ｌｃと軸２０Ｒｃに支持される。軸受け部２６Ｌａ，２６Ｒａは、クリンチャ２０Ｌ，２０Ｒの離接する方向への移動に伴う軸２０Ｌｃ，２０Ｒｃの動きに合わせた長穴形状で構成される。
【００６６】
仕切り板２６は、待機状態にあるクリンチャ２０Ｌのクリンチャ面２０Ｌａ、及びクリンチャ２０Ｒのクリンチャ面２０Ｒａより上方に突出する仕切り部２６ｂを備える。また、仕切り板２６は、クリンチャ２０Ｌ方向に折り曲げられたバネ部２６Ｌｃと、クリンチャ２０Ｒ方向に折り曲げられたバネ部２５Ｒｃを備える。
【００６７】
クリンチャ２０Ｌは、仕切り板２６のバネ部２６Ｌｃで側面が押圧され、クリンチャ２０Ｒは、仕切り板２６のバネ部２６Ｒｃで側面が押圧されることで、クリンチャ２０Ｌとクリンチャ２０Ｒは、待機状態での向きが保持される。
【００６８】
＜下ハンドルユニットの構成例＞
次に、各図を参照して、下ハンドルユニット１１ａの構成について説明する。下ハンドルユニット１１ａは、下ハンドルフレーム４が板金等で構成される。下ハンドルフレーム４は、クリンチャユニット２Ａを構成するクリンチャフレーム２４が前方位置に取り付けられる。また、下ハンドルフレーム４は、スライダ３がクリンチャユニット２Ａの後方に取り付けられる。更に、下ハンドルフレーム４は、上ハンドルユニット１１ｂが取り付けられる上ハンドル取付部４０が形成される。
【００６９】
スライダ３は、クリンチャユニット２Ａと対向する前側に係止部３０が形成され、後側にリンク受け部３１が形成される。スライダ３は、前後方向に沿ってスライド移動可能な構成で下ハンドルフレーム４に取り付けられ、図示しないバネに押圧されて、クリンチャユニット２Ａを構成するクリンチャホルダ２１の後側ホルダ２１ｂが係止部３０に載る位置まで前方に移動する。また、スライダ３は後方へ移動することで、係止部３０がクリンチャホルダ２１の後側ホルダ２１ｂから外れる。
【００７０】
下ハンドルユニット１１ａは、クリンチャユニット２Ａ及びスライダ３が取り付けられた下ハンドルフレーム４に、下ハンドルフレーム４を覆う形状を有した下ハンドルカバー４１が取り付けられる。
【００７１】
また、下ハンドルユニット１１ａは、クリンチャユニット２Ａを覆うクリンチャカバー４２が下ハンドルカバー４１に取り付けられる。クリンチャカバー４２は、クリンチャユニット２Ａを構成するクリンチャ２０Ｌ及びクリンチャ２０Ｒと、クリンチャ２０Ｌ，２０Ｒに挟まれた仕切り板２６と、クリンチャ２０Ｌ，２０Ｒが取り付けられたクリンチャホルダ２１が露出する開口を有する。クリンチャカバー４２は、クリンチャホルダ２１の昇降動作に連動して昇降する構成を有して、下ハンドルカバー４１に取り付けられる。
【００７２】
更に、下ハンドルユニット１１ａは、用紙の位置を規制する用紙ガイド４３が、下ハンドルカバー４１に取り付けられる。用紙ガイド４３は、前後方向に沿ってスライド移動可能な構成で下ハンドルカバー４１に取り付けられ、用紙が用紙ガイド４３に突き当てられることで、ステープル１０Ｌ，１０Ｓで綴じる位置が調整可能に構成される。
【００７３】
＜マガジンユニットの構成例＞
次に、各図を参照して、マガジンユニット５の構成について説明する。マガジンユニット５は収納手段の一例で、針足の長いステープル１０Ｌ及び針足の短いステープル１０Ｓの両方が装填可能で、ステープル１０Ｌとステープル１０Ｓの一方が選択されて装填されるマガジン５０を備える。
【００７４】
また、マガジンユニット５は、ステープル１０Ｌあるいはステープル１０Ｓの装填のために、マガジン５０を引き出し可能に収納するマガジンガイド５１を備える。マガジンガイド５１は、前面、上面及び後面が開口して、マガジン５０が前面から引き出し可能に収納される空間が形成される。
【００７５】
マガジンユニット５は、ステープル１０Ｌあるいはステープル１０Ｓの装填と、装填されたステープル１０Ｌあるいはステープル１０Ｓの移動をガイドすると共に、ステープル１０Ｌあるいはステープル１０Ｓを１本に分離するためのせん断力を与えるステープルガイド５２を備える。また、マガジンユニット５は、ドライバユニット６で打ち出される１本に分離されたステープル１０Ｌあるいはステープル１０Ｓの形状を保持するステープルホルダ５３を備える。
【００７６】
更に、マガジンユニット５は、マガジンガイド５１に対して引き出し可能に収納されるマガジン５０のロック及びロックの解除を行うロック機構５４を備える。また、マガジンユニット５は、マガジン５０に装填されたステープル１０Ｌあるいはステープル１０Ｓを前方に押圧するプッシャ５５と、プッシャ５５を押圧するプッシャスプリング５５ａと、プッシャスプリング５５ａをガイドするスプリングガイド５６を備える。
【００７７】
更に、マガジンユニット５は、マガジン５０の収納方向への移動と引き出し方向への移動をガイドすると共に、プッシャ５５で押圧されるステープル１０Ｌあるいはステープル１０Ｓを、ステープルガイド５２と共にガイドするガイドカバー５７を備える。
【００７８】
プッシャ５５及びプッシャスプリング５５ａはステープル押圧手段の一例で、プッシャ５５は、マガジンガイド５１に収納されたマガジン５０の内側で、ステープルガイド５２に沿って前後方向に移動可能に取り付けられる。ガイドカバー５７は、マガジンガイド５１の上面に取り付けられ、マガジンガイド５１と共に、マガジン５０の収納方向への移動と引き出し方向への移動をガイドする。また、プッシャ５５で押圧されるステープル１０Ｌあるいはステープル１０Ｓを、ステープルガイド５２と共にガイドする。
【００７９】
プッシャスプリング５５ａは、プッシャ５５をマガジン５０のマガジン前壁５０ａ方向に押圧する。プッシャスプリング５５ａは、ガイドカバー５７内に収納され、本例では、マガジンガイド５１の前端側に取り付けられるスプリングガイド５６により、Ｕ形状の配置でプッシャ５５と連結される。
【００８０】
＜マガジンの構成例＞
図２２は、本実施の形態のマガジンユニットを構成するマガジンの一例を示す要部側断面図、図２３は、本実施の形態のマガジンユニットを構成するマガジンの一例を示す要部上面図であり、次に、各図を参照してマガジン５０の構成について説明する。ここで、図２２は、図２３のＡ−Ａ線断面図である。
【００８１】
マガジン５０は、本例では、板状の金属材料がプレス等の形抜き及び折り曲げ加工によって折り曲げられることで所定の形状に構成され、ステープル１０Ｌ及びステープル１０Ｓのいずれであっても装填可能で上面が開口した空間が形成される。
【００８２】
マガジン５０は、装填されたステープル１０Ｌあるいはステープル１０Ｓが、プッシャ５５及びステープルガイド５２で押し付けられるマガジン前壁５０ａの下部に、１本に分離されたステープル１０Ｌあるいはステープル１０Ｓが通る寸法で開口部５０ｂが形成される。また、マガジン５０は、対向するマガジン側壁５０ｃの内寸が、ステープル１０Ｌの針クラウン１０Ｌａ及びステープル１０Ｓの針クラウン１０Ｓａの外寸より若干広く構成される。
【００８３】
マガジン５０は、マガジン側壁５０ｃを構成する側板の先端側を内側に折り曲げることでマガジン前壁５０ａが構成され、マガジン前壁５０ａが幅方向の中央部付近で分割されて、ステープル１０Ｌ及びステープル１０Ｓの打ち出し方向に沿って延在する溝部５０ａｓがマガジン前壁５０ａに形成される。
【００８４】
＜ステープルガイドの構成例＞
図２４は、ステープルガイドの一例を示す要部斜視図、図２５は、マガジンにステープルガイドが取り付けられた状態を示す要部側断面図で、次に、各図を参照してステープルガイド５２の構成について説明する。
【００８５】
ステープルガイド５２はステープルガイド手段の一例で、マガジン５０の内側の空間に取り付けられる。マガジン５０とステープルガイド５２の間には、コイルスプリング５０ｄが取り付けられ、ステープルガイド５２がマガジン前壁５０ａ方向に押圧される。
【００８６】
ステープルガイド５２は、ステープル１０Ｌの針クラウン１０Ｌａ及びステープル１０Ｓの針クラウン１０Ｓａの内寸より若干幅が狭く構成され、マガジン側壁５０ｃとステープルガイド５２の間に、ステープル１０Ｌの針足１０Ｌｂ及びステープル１０Ｓの針足１０Ｓｂが挿入可能な空間が設けられる。
【００８７】
ステープルガイド５２は、図２３に示すように、針足の長いステープル１０Ｌあるいは針足の短いステープル１０Ｓを１本に分離するためのせん断力を与えるせん断ガイド部５２ａと、１本に分離されたステープル１０Ｌあるいはステープル１０Ｓをマガジン前壁５０ａに押圧する押圧ガイド部５２ｂを備える。
【００８８】
また、ステープルガイド５２は、針足の長いステープル１０Ｌの針足１０Ｌｂ及び針足の短いステープル１０Ｓの針足１０Ｓｂを幅方向にガイドする第１の幅ガイド部５２ｃと、主に針足の短いステープル１０Ｓの針足１０Ｓｂを幅方向にガイドする第２の幅ガイド部５２ｄを備える。
【００８９】
せん断ガイド部５２ａは分離ガイド手段の一例で、ステープルガイド５２の前端側上面とマガジン前壁５０ａとの間に、１本のステープル１０Ｌ及びステープル１０Ｓの針線幅ｔｓ１より広く、２本分のステープル１０Ｌ，１０Ｓの針線幅より狭い間隔ｔ１が形成される斜面を設けて形成される。
【００９０】
マガジン５０にステープル１０Ｌあるいはステープル１０Ｓが装填されると、プッシャ５５による押圧力を受けて、前端のステープル１０Ｌあるいはステープル１０Ｓがマガジン前壁５０ａに押圧される。
【００９１】
マガジン５０にステープル１０Ｌあるいはステープル１０Ｓが装填されると、ドライバユニット６により打ち出される前端のステープル１０Ｌあるいはステープル１０Ｓに後続したステープル１０Ｌあるいはステープル１０Ｓは、針クラウン１０Ｌａあるいは針クラウン１０Ｓａがステープルガイド５２の上面に載置される。
【００９２】
これにより、ドライバユニット６によって打ち出される前端のステープル１０Ｌあるいはステープル１０Ｓの直後の１本のステープル１０Ｌあるいはステープル１０Ｓは、打ち出し方向の位置が規制される。
【００９３】
そして、針足１０Ｌｂの長いステープル１０Ｌと、針足１０Ｓｂの短いステープル１０Ｓの何れであっても、マガジン５０に装填されると、針クラウン１０Ｌａあるいは針クラウン１０Ｓａがステープルガイド５２の上面に載置されるので、ステープル１０Ｌあるいはステープル１０Ｓを１本に分離するためのせん断力が与えられる。
【００９４】
押圧ガイド部５２ｂは、せん断ガイド部５２ａの下端とつながるステープルガイド５２の前端面で構成され、第１の幅ガイド部５２ｃの前端がマガジン前壁５０ａに接している状態で、押圧ガイド部５２ｂとマガジン前壁５０ａとの間に所定の間隔ｔ２が形成される。
【００９５】
押圧ガイド部５２ｂとマガジン前壁５０ａとの間隔ｔ２は、１本のステープル１０Ｌ及びステープル１０Ｓの針線幅より若干狭く構成され、ステープルガイド５２を後退させることで、押圧ガイド部５２ｂとマガジン前壁５０ａとの間に、１本に分離されたステープル１０Ｌあるいはステープル１０Ｓが通る。
【００９６】
そして、押圧ガイド部５２ｂとマガジン前壁５０ａとの間を通る１本に分離されたステープル１０Ｌあるいはステープル１０Ｓが、コイルスプリング５０ｄによりステープルガイド５２がマガジン前壁５０ａ方向に付勢されることで、押圧ガイド部５２ｂでマガジン前壁５０ａに押圧される。
【００９７】
ここで、図１１（ａ）に示すような針足１０Ｌｂが長いステープル１０Ｌが使用される場合に、針足１０Ｌｂの先端が用紙に到達する前に、針クラウン１０Ｌａが押圧ガイド部５２ｂでガイドされるように、せん断ガイド部５２ａの高さｔ３が設定される。
【００９８】
第１の幅ガイド部５２ｃは、ステープルガイド５２の前端側の左右両側の下端に設けられる。第１の幅ガイド部５２ｃは、１本のステープル１０Ｌ及びステープル１０Ｓの針線幅より若干小さい寸法で、押圧ガイド部５２ｂの下端から前方に突出することで、第１の幅ガイド部５２ｃの上方に、マガジン前壁５０ａとの間に所定の間隔ｔ２で対向する押圧ガイド部５２ｂが形成される。
【００９９】
第１の幅ガイド部５２ｃは、ステープルガイド５２から左右に突出し、左右一対の第１の幅ガイド部５２ｃの外寸が、ステープル１０Ｌ及びステープル１０Ｓの針クラウン１０Ｌａ，１０Ｓａの内寸と略同じ幅あるいは若干広い幅で構成される。
【０１００】
これにより、ステープル１０Ｌあるいはステープル１０Ｓがマガジン５０に装填され、１本に分離されて打ち出されると、ステープル１０Ｌの針足１０Ｌｂあるいはステープル１０Ｓの針足１０Ｓｂの内側が第２の幅ガイド部５２ｄと接するように構成される。
【０１０１】
第２の幅ガイド部５２ｄは、針足の短いステープル１０Ｓの針足１０Ｓｂに対応して、ステープルガイド５２の前端側の左右両側で、第１の幅ガイド部５２ｃの上方の中央部に設けられる。
【０１０２】
第２の幅ガイド部５２ｄは、ステープルガイド５２から左右に突出し、左右一対の第２の幅ガイド部５２ｄの外寸が、ステープル１０Ｌ及びステープル１０Ｓの針クラウン１０Ｌａ，１０Ｓａの内寸と略同じ幅で構成される。
【０１０３】
これにより、ステープル１０Ｌあるいはステープル１０Ｓがマガジン５０に装填されると、第１の幅ガイド部５２ｃがマガジン前壁５０ａに接する位置までステープルガイド５２が前進している状態では、針足１０Ｌｂあるいは針足１０Ｓｂの内側が第２の幅ガイド部５２ｄと接するように構成される。
【０１０４】
マガジンユニット５は、１本に分離された主に針足の短いステープル１０Ｓの針足１０Ｓｂを、ドライバユニット６によるステープル１０Ｓの打ち出しに伴って、マガジン前壁５０ａ方向にガイドする針足ガイド部５２ｅを備える。
【０１０５】
針足ガイド部５２ｅは針足ガイド手段の一例で、本例ではステープルガイド５２の第１の幅ガイド部５２ｃの近傍に設けられる。針足ガイド部５２ｅは、ステープルガイド５２の左右に突出した第１の幅ガイド部５２ｃと、ステープルガイド５２との間に形成される斜面に、前端側に向かって左右一対の第１の幅ガイド部５２ｃの外寸が徐々に狭くなる方向に傾斜した傾斜面を設けて構成される。
【０１０６】
これにより、針足の短いステープル１０Ｓがマガジン５０に装填された場合、１本に分離されたステープル１０Ｓの打ち出しに伴って、用紙に着地する前の針足１０Ｓｂの先端が後側に流れても、針足ガイド部５２ｅの傾斜面によって、針足１０Ｓｂはマガジン前壁５０ａ方向に誘導される。
【０１０７】
＜ステープルホルダの構成例＞
図２６は、ステープルホルダの一例を示す斜視図、図２７は、ステープルホルダの一例を示す側面図、図２８は、マガジンにステープルホルダが取り付けられた状態を示す要部側断面図で、次に、各図を参照してステープルホルダ５３の構成について説明する。
【０１０８】
ステープルホルダ５３はステープル形状保持手段の一例で、マガジン５０に装填されたステープルの種類に応じて、１本に分離されたステープル１０Ｌの針クラウン１０Ｌａまたはステープル１０Ｓの針クラウン１０Ｓａの形状を保持する針クラウンガイド部５３ａを備える。また、ステープルホルダ５３は、マガジン５０の所定の構成要素、本例ではステープルガイド５２に取り付けられる取付部５３ｂを備える。
【０１０９】
ステープルホルダ５３は、取付部５３ｂがステープルガイド５２の前端部に取り付けられることで、左右一対の押圧ガイド部５２ｂの間に針クラウンガイド部５３ａが配置され、針クラウンガイド部５３ａがマガジン５０のマガジン前壁５０ａと対向する。
【０１１０】
ステープルホルダ５３は、弾性を有する材質、本例では、弾性を有した金属板材で構成され、針クラウンガイド部５３ａを主に前後方向に変位させるバネ部５３ｃを備える。ステープルホルダ５３は、ステープラ１Ａが机上で使用される形態としたときに上側となる針クラウンガイド部５３ａの上端側が、逆Ｕ字状に曲る形態に形成されてバネ部５３ｃが構成される。
【０１１１】
ステープルホルダ５３は、ステープル１０Ｌ及びステープル１０Ｓが打ち出される方向に沿って、バネ部５３ｃから針クラウンガイド部５３ａが延在し、主にバネ部５３ｃの弾性変形によって、針クラウンガイド部５３ａがマガジン前壁５０ａに対して離接する方向である前後方向に変位する。
【０１１２】
ステープルホルダ５３は、１本に分離されたステープル１０Ｌまたはステープル１０Ｓの打ち出しに伴って、ステープル１０Ｌの針クラウン１０Ｌａの長手方向における中央部付近、または、ステープル１０Ｓの針クラウン１０Ｓａの長手方向における中央部付近を、下側から支える突き出し部５３ｄを備える。
【０１１３】
ステープルホルダ５３は、マガジン前壁５０ａの溝部５０ａｓに合わせて、針クラウンガイド部５３ａの幅方向における中央部付近に突き出し部５３ｄが設けられる。突き出し部５３ｄは、ステープル１０Ｌ及びステープル１０Ｓの打ち出し方向に沿った針クラウンガイド部５３ａの中央部付近から、針クラウンガイド部５３ａの下端側に向けてマガジン前壁５０ａ方向である前方に突出する。
【０１１４】
突き出し部５３ｄは、本実施の形態では、針クラウンガイド部５３ａの幅方向における中央部付近を針クラウンガイド部５３ａの下端側から切り起こす形態で、マガジン前壁５０ａの溝部５０ａｓより狭い所定の幅の舌片部を設けることで構成される。
【０１１５】
ステープルホルダ５３は、突き出し部５３ｄに掛かる荷重を針クラウンガイド部５３ａに伝達する連結部５３ｅを備える。連結部５３ｅは、突き出し部５３ｄの基端側の側面が針クラウンガイド部５３ａに接するような形態とすることで構成され、突き出し部５３ｄに掛かる荷重を、突き出し部５３ｄの基端側と針クラウンガイド部５３ａとの間に生じる摩擦力等によって、針クラウンガイド部５３ａに伝達する。
【０１１６】
これにより、ステープルホルダ５３では、突き出し部５３ｄに掛かる荷重が連結部５３ｅにより針クラウンガイド部５３ａに伝達され、主にバネ部５３ｃの弾性変形による針クラウンガイド部５３ａの変位によって突き出し部５３ｄが後退する。
【０１１７】
ステープルホルダ５３は、図２８に示すように、針クラウンガイド部５３ａの下端側が針クラウンガイド部５３ａの上端側に対して前方に突出する方向で、針クラウンガイド部５３ａがマガジン前壁５０ａに対して傾斜する。
【０１１８】
ステープルホルダ５３は、針クラウンガイド部５３ａとマガジン前壁５０ａとの間隔が、ステープル１０Ｌ及びステープル１０Ｓの打ち出し方向に沿って狭くなる。本例では、ステープル１０Ｌまたはステープル１０Ｓが打ち出される前及び打ち出された後の待機状態で、針クラウンガイド部５３ａの下端側がマガジン前壁５０ａと接する。
【０１１９】
また、ステープルホルダ５３は、突き出し部５３ｄの下端側が突き出し部５３ｄの上端側に対して前方に突出する方向で、突き出し部５３ｄがマガジン前壁５０ａ及び針クラウンガイド部５３ａに対して傾斜し、上述した待機状態で、突き出し部５３ｄがマガジン前壁５０ａの溝部５０ａｓに入る。
【０１２０】
ステープルホルダ５３が取り付けられたステープルガイド５２は、押圧ガイド部５２ｂ及び第１の幅ガイド部５２ｃと、マガジン前壁５０ａとの間をステープル１０Ｌまたはステープル１０Ｓが通ることにより、マガジン前壁５０ａに対して後退する。これにより、取付部５３ｂでステープルガイド５２に取り付けられたステープルホルダ５３も、ステープルガイド５２の後退に伴ってマガジン前壁５０ａに対して後退する。
【０１２１】
ステープルホルダ５３は、１本に分離されたステープル１０Ｌまたはステープル１０Ｓの打ち出しに伴って後退するステープルガイド５２の移動量を考慮して、針クラウンガイド部５３ａ及び突き出し部５３ｄの傾斜等が設定される。
【０１２２】
すなわち、ステープルガイド５２の変位では、突き出し部５３ｄとマガジン前壁５０ａとの間に、１本のステープル１０Ｌ及びステープル１０Ｓの針線幅以上の隙間が形成されないように、針クラウンガイド部５３ａ及び突き出し部５３ｄの傾斜等が設定される。
【０１２３】
これにより、ステープルガイド５２及びステープルホルダ５３が取り付けられたマガジン５０では、１本に分離されて打ち出されるステープル１０Ｌ及びステープル１０Ｓの移動経路中に突き出し部５３ｄが出没可能に突出する。
【０１２４】
針足の長いステープル１０Ｌがマガジン５０に装填された場合、ステープルホルダ５３では、１本に分離されたステープル１０Ｌの打ち出しに伴って、ステープル１０Ｌの針クラウン１０Ｌａにより、主に突き出し部５３ｄが押圧される。針足の短いステープル１０Ｓがマガジン５０に装填された場合も同様に、ステープルホルダ５３では、１本に分離されたステープル１０Ｓの打ち出しに伴って、ステープル１０Ｓの針クラウン１０Ｓａにより、主に突き出し部５３ｄが押圧される。
【０１２５】
ステープルホルダ５３では、突き出し部５３ｄに荷重が掛かると、主にバネ部５３ｃの弾性変形によって、針クラウンガイド部５３ａが後退する方向に変位し、針クラウンガイド部５３ａの変位によって突き出し部５３ｄが後退する。
【０１２６】
これにより、突き出し部５３ｄとマガジン前壁５０ａとの間に、マガジン５０に装填されたステープルの種類に応じて、１本に分離されたステープル１０Ｌの針クラウン１０Ｌａ、または、１本に分離されたステープル１０Ｓの針クラウン１０Ｓａが通る隙間が形成される。
【０１２７】
また、１本に分離されたステープル１０Ｌの打ち出しに伴って、ステープル１０Ｌの針クラウン１０Ｌａの長手方向における中央部付近が、バネ部５３ｃが復元しようとする力で押し上げられる方向に変位しようとする突き出し部５３ｄにより、ステープル１０Ｌが打ち出される方向に対して逆向きとなる下側から支えられる。
【０１２８】
同様に、１本に分離されたステープル１０Ｓの打ち出しに伴って、ステープル１０Ｓの針クラウン１０Ｓａの長手方向における中央部付近が、バネ部５３ｃが復元しようとする力で押し上げられる方向に変位しようとする突き出し部５３ｄにより、ステープル１０Ｓが打ち出される方向に対して逆向きとなる下側から支えられる。
【０１２９】
これにより、１本に分離されたステープル１０Ｌあるいはステープル１０Ｓがマガジン前壁５０ａとステープルガイド５２の間を通過すると、突き出し部５３ｄによって針クラウン１０Ｌａあるいは針クラウン１０Ｓａの長手方向の中央部付近が押し上げられる方向に力が加えられ、針クラウン１０Ｌａ及び針クラウン１０Ｓａの変形が抑えられる。
【０１３０】
そして、ステープルホルダ５３では、突き出し部５３ｄに掛かる荷重が連結部５３ｅにより針クラウンガイド部５３ａに伝達され、主にバネ部５３ｃの弾性変形による針クラウンガイド部５３ａの変位によって突き出し部５３ｄが後退するので、突き出し部５３ｄの弾性変形による変位が抑えられ、突き出し部５３ｄに掛かる負荷が軽減される。
【０１３１】
図２９は、ステープルホルダの取付例を示す正面断面図、図３０は、ステープルホルダの取付例を示す側断面図で、次に、各図を参照して、ステープルホルダ５３をステープルガイド５２に取り付ける構成について説明する。ステープルホルダ５３は、取付部５３ｂの幅方向に沿った左右の一方の側部に取付凸部５３Ｌが形成されると共に、他方の側部に取付凸部５３Ｒが形成される。
【０１３２】
ステープルホルダ５３は、取付凸部５３Ｌと取付凸部５３Ｒの一方には２個以上、他方には１個以上設けられることが好ましく、本例では、ステープルホルダ５３の左右の側部のそれぞれ２箇所に、取付凸部５３Ｌと取付凸部５３Ｒが対称の配置で側方に突出して形成される。
【０１３３】
ステープルガイド５２は、幅方向に沿った左右の一方の側部に、ステープルホルダ５３の取付凸部５３Ｌが挿入される取付開口部５２Ｌが形成され、他方の側部に、ステープルホルダ５３の取付凸部５３Ｒが挿入される取付開口部５２Ｒが形成される。
【０１３４】
ステープルガイド５２とステープルホルダ５３は、所定の挿入位置にてステープルホルダ５３の取付凸部５３Ｌ，５３Ｒがステープルガイド５２の取付開口部５２Ｌ，５３Ｒに挿入され、固定位置にステープルホルダ５３を移動させることで、ステープルホルダ５３がステープルガイド５２に固定される。
【０１３５】
このため、取付開口部５２Ｌは、ステープルホルダ５３をステープルガイド５２に取り付ける動作で、挿入位置にあるステープルホルダ５３の取付凸部５３Ｌが挿入される挿入開口部５２Ｌａを備える。
【０１３６】
また、取付開口部５２Ｌは、ステープルガイド５２に対して後方へ移動させる動作で固定位置にあるステープルホルダ５３の取付凸部５３Ｌを支持する支持凸部５２Ｌｂを備える。更に、固定位置にあるステープルホルダ５３の位置を、マガジン５０のマガジン前壁５０ａとの間で規制する位置規制部５２Ｌｃを備える。
【０１３７】
取付開口部５２Ｒは、ステープルホルダ５３をステープルガイド５２に取り付ける動作で、挿入位置にあるステープルホルダ５３の取付凸部５３Ｒが挿入される挿入開口部５２Ｒａを備える。
【０１３８】
また、取付開口部５２Ｒは、ステープルガイド５２に対して後方へ移動させる動作で固定位置にあるステープルホルダ５３の取付凸部５３Ｒを支持する支持凸部５２Ｒｂを備える。更に、固定位置にあるステープルホルダ５３の位置を、マガジン５０のマガジン前壁５０ａとの間で規制する位置規制部５２Ｒｃを備える。
【０１３９】
取付開口部５２Ｌは、ステープルホルダ５３の２個の取付凸部５３Ｌの配置に合わせて、２箇所に挿入開口部５２Ｌａが形成されると共に、３箇所に支持凸部５２Ｌｂが形成される。挿入開口部５２Ｌａと支持凸部５２Ｌｂは、ステープルガイド５２の前後方向に沿って交互に配置されてつながり、取付開口部５２Ｌの後端に位置規制部５２Ｌｃが形成される。
【０１４０】
取付開口部５２Ｒも同様に、ステープルホルダ５３の２個の取付凸部５３Ｒの配置に合わせて、２箇所に挿入開口部５２Ｒａが形成されると共に、３箇所に支持凸部５２Ｒｂが形成される。挿入開口部５２Ｒａと支持凸部５２Ｒｂは、ステープルガイド５２の前後方向に沿って交互に配置されてつながり、取付開口部５２Ｒの後端に位置規制部５２Ｒｃが形成される。
【０１４１】
取付開口部５２Ｌと取付開口部５２Ｒは、挿入開口部５２Ｌａ及び挿入開口部５２Ｒａと、支持凸部５２Ｌｂ及び支持凸部５２Ｒｂが、上下に対称な配置で形成される。
【０１４２】
ステープルホルダ５３の取付方法について説明すると、ステープルホルダ５３は、ステープルガイド５２の左右の側壁の間に取付凸部５３Ｌ，５３Ｒが入るように、図２９（ａ）に示すように、挿入位置において左右方向に傾けることで、取付凸部５３Ｌが取付開口部５２Ｌの挿入開口部５２Ｌａに挿入され、取付凸部５３Ｒが取付開口部５２Ｒの挿入開口部５２Ｒａに挿入される。
【０１４３】
取付凸部５３Ｌが挿入開口部５２Ｌａに挿入され、取付凸部５３Ｒが挿入開口部５２Ｒａに挿入されたステープルホルダ５３は、図２９（ｂ）に示すように、略水平な向きとすることで、後方への水平移動が可能となる。
【０１４４】
図３０（ａ）に示すように挿入位置にあるステープルホルダ５３を、図３０（ｂ）に示すように固定位置に移動させると、左右の取付開口部５２Ｌ，５２Ｒの間で、取付凸部５３Ｌ，５３Ｒが支持凸部５２Ｌｂ，５２Ｒｂに挟まれ、ステープルホルダ５３は傾く方向へ回転する動きが規制される。
【０１４５】
ステープルホルダ５３が取り付けられたステープルガイド５２がマガジン５０に取り付けられ、マガジン５０とステープルガイド５２の間に、コイルスプリング５０ｄが取り付けられると、ステープルガイド５２がマガジン前壁５０ａ方向に押圧される。
【０１４６】
ステープルガイド５２がマガジン前壁５０ａ方向に押圧されると、ステープルホルダ５３の針クラウンガイド部５３ａがマガジン前壁５０ａに押圧され、ステープルホルダ５３の後端が、取付開口部５２Ｌ，５２Ｒの位置規制部５２Ｌｃ，５２Ｒｃに押圧される。
【０１４７】
これにより、ステープルホルダ５３は、針クラウンガイド部５３ａがマガジン前壁５０ａに押圧され、突き出し部５３ｄがマガジン前壁５０ａの溝部５０ａｓに入る状態で、傾く方向へ回転する動き及び前後方向への移動が規制されて、ステープルガイド５２を介してマガジン５０に固定される。
【０１４８】
ステープルホルダをステープルガイドに取り付ける構成では、従来は、ステープルホルダの側方に凸部を形成すると共に、ステープルガイドの対向する側壁にステープルホルダの凸部が嵌まる開口部を形成し、ステープルガイドを撓ませることでステープルホルダを取り付けていた。
【０１４９】
しかし、ステープルホルダの取り付けでステープルガイドが変形してしまい、ステープルの打ち出しやクリンチ等で必要とされる部品の寸法精度を確保できない可能性があった。
【０１５０】
本実施の形態では、ステープルホルダ５３をステープルガイド５２に取り付ける際に、部品を変形させるような力が加わらない。これにより、ステープルホルダ５３の取り付けでステープルガイド５２等が変形することがなく、ステープル１０Ｌ，１０Ｓの打ち出しやクリンチ等で必要とされる部品の寸法精度を確保できる。
【０１５１】
＜リンク機構の構成例＞
ステープラ１Ａでは、上ハンドルユニット１１ｂの動きを下ハンドルユニット１１ａのスライダ３に伝達するリンク機構がマガジンユニット５に設けられる。次に、各図を参照して、上ハンドルユニット１１ｂの動きを下ハンドルユニット１１ａのスライダ３に伝達する構成について説明する。マガジンユニット５は、上ハンドルユニット１１ｂの動きを下ハンドルユニット１１ａのスライダ３に伝達して、クリンチャユニット２Ａの待機位置でのロック及びロックの解除を行うリンク５８を備える。
【０１５２】
本実施の形態では、リンク５８は、軸５８ａを支点としてマガジンガイド５１に回転可能に取り付けられ、略Ｌ形状の一方の端部に形成されたスライダ押圧部５８ｂが、スライダ３のリンク受け部３１と接し、他方の端部に形成されたドライバ押圧部５８ｃがドライバユニット６に押圧される。
【０１５３】
リンク５８は、スライダ押圧部５８ｂがスライダ３のリンク受け部３１と接する方向に自重で回転する重量配分で構成され、スライダ押圧部５８ｂとリンク受け部３１が常時接触するような状態が保持される。これにより、図４に示すように、リンク５８は、スライダ押圧部５８ｂが下ハンドルフレーム４の上ハンドル取付部４０の前端より後方に位置する。
【０１５４】
用紙に対するステープル１０Ｌあるいはステープル１０Ｓの綴じ位置は、クリンチャユニット２Ａのクリンチャ２０Ｌ，２０Ｒと、用紙ガイド４３との間の距離で決められる。このため、リンク５８のスライダ押圧部５８ｂが下ハンドルフレーム４の上ハンドル取付部４０の前端より後方に位置する構成とすることで、用紙ガイド４３の移動位置を、上ハンドル取付部４０の前端までにすることができる。従って、用紙の端部からステープル１０Ｌあるいはステープル１０Ｓの綴じ位置までの距離を長くすることができる。
【０１５５】
＜ロック機構の構成例＞
図３１は、ロック機構の一例を示す側断面図、図３２は、ロック機構の一例を示す要部平面断面図であり、次に、各図を参照して、ロック機構５４の構成について説明する。
【０１５６】
ロック機構５４は、マガジン５０を収納位置でロックするマガジンストッパ５４ａと、マガジンストッパ５４ａを動かすプッシャスイッチ５４ｂを備える。また、ロック機構５４は、マガジン５０を排出方向に押す力を加えると共に、マガジンストッパ５４ａをロック方向に回転させる力を加えるマガジンロックバネ５４ｃを備える。
【０１５７】
マガジンストッパ５４ａは、マガジン５０の後端側底面に形成されたロック開口部５０ｅに嵌まるロック爪５４ｄを、略Ｌ形状の一方の端部に備え、マガジンロックバネ５４ｃに押されるバネ押圧部５４ｅを、略Ｌ形状の他方の端部に備える。マガジンストッパ５４ａは、ロック爪５４ｄとバネ押圧部５４ｅの間に設けられる軸５４ｆを支点に回転可能な状態で、マガジンガイド５１に支持される。
【０１５８】
プッシャスイッチ５４ｂは、人手により押されるスイッチ部５４ｇを後端側に備え、マガジンストッパ５４ａのバネ押圧部５４ｅが形成された略Ｌ字形状の他方の端部と、軸５４ｈを介して回転可能に連結される。プッシャスイッチ５４ｂは、軸５４ｈを挟んだ前端側にマガジンロックバネ５４ｃが取り付けられる。
【０１５９】
マガジンロックバネ５４ｃは、マガジンガイド５１にマガジン５０が収納されると、マガジン５０のステープルガイド５２に前端側が接し、マガジンストッパ５４ａのバネ押圧部５４ｅに後端側が接する。マガジンロックバネ５４ｃは、プッシャスイッチ５４ｂの前端部に形成される抜け止め防止凸部５４ｉにより、マガジン５０が引き出された状態で、プッシャスイッチ５４ｂから外れることが防止される。
【０１６０】
マガジン５０がマガジンガイド５１に収納された状態では、図３１（ａ）に示すように、マガジン５０に取り付けられたステープルガイド５２の後端側と、マガジンストッパ５４ａのバネ押圧部５４ｅとの間でマガジンロックバネ５４ｃが圧縮される。
【０１６１】
マガジンストッパ５４ａは、バネ押圧部５４ｅが押圧されることで、ロック爪５４ｄがマガジン５０のロック開口部５０ｅに嵌まる方向に、軸５４ｆを支点に回転し、ロック爪５４ｄがロック開口部５０ｅに嵌まる。
【０１６２】
これにより、マガジン５０は、マガジンガイド５１に収納された状態が保持される。また、マガジン５０は、ステープルガイド５２がマガジンロックバネ５４ｃで押圧されることで、マガジン５０とステープルガイド５２との間に取り付けられたコイルスプリング５０ｄと共に、マガジンロックバネ５４ｃでステープルガイド５２がマガジン前壁５０ａ方向に押圧される。
【０１６３】
プッシャスイッチ５４ｂは、スイッチ部５４ｇが押されると、図３１（ｂ）に示すように、軸５４ｈを介して連結されたマガジンストッパ５４ａを、軸５４ｆを支点に回転させて、マガジンストッパ５４ａのロック爪５４ｄをマガジン５０のロック開口部５０ｅから外す。
【０１６４】
マガジンストッパ５４ａのロック爪５４ｄがマガジン５０のロック開口部５０ｅから外れると、圧縮されていたマガジンロックバネ５４ｃが復元する力、及び、引っ張られていたプッシャスプリング５５ａが復元する力によってプッシャ５５により押圧される力で、マガジン５０が前方に押圧され、マガジンガイド５１からマガジン５０が引き出される。
【０１６５】
＜ドライバユニットの構成例＞
図３３は、ドライバの一例を示す構成図で、次に、各図を参照して、ドライバユニット６の構成について説明する。ドライバユニット６は打出手段の一例で、マガジン５０に装填されたステープル１０Ｌあるいはステープル１０Ｓの先頭の１本を押圧し、用紙に貫通させるドライバ６０と、ドライバ６０及びリンク５８を押圧するドライバアーム６１を備える。
【０１６６】
ドライバ６０は、図３３（ａ）の正面図に示すように、ステープル１０Ｌの針クラウン１０Ｌａ及びステープル１０Ｓの針クラウン１０Ｓａの外寸に合わせた幅を有すると共に、図３３（ｂ）の側面図に示すように、１本のステープル１０Ｌ及びステープル１０Ｓの針線幅に合わせた板厚を有したステープル押圧部６０ａが下端側に設けられた板状の部材で構成される。また、ドライバ６０は、ドライバアーム６１に支持される軸部６０ｂと、ドライバアーム６１に押圧されるドライバ押圧部６０ｃが上端側に設けられる。
【０１６７】
更に、ドライバ６０は、ステープル１０Ｌの一対の針足１０Ｌｂに対応した針クラウン１０Ｌａの両端部、及びステープル１０Ｓの一対の針足１０Ｓｂに対応した針クラウン１０Ｓａの両端部を押圧する押圧部６０ｄを備える。
【０１６８】
ドライバ６０は、ステープル押圧部６０ａの幅方向の左右両側に、所定の形状で下方に突出した凸部を設けて押圧部６０ｄが構成される。ステープル１０Ｌの針クラウン１０Ｌａと、ステープル１０Ｓの針クラウン１０Ｓａは、外寸がほぼ同じ寸法であるので、ステープル１０Ｌであれば、一対の針足１０Ｌｂのそれぞれ略直上の部位が押圧部６０ｄで押圧される。同様に、ステープル１０Ｓであれば、一対の針足１０Ｓｂのそれぞれ略直上の部位が押圧部６０ｄで押圧される。
【０１６９】
ドライバアーム６１は、ドライバ６０のドライバ押圧部６０ｃを押圧する押圧面６１ａと、ドライバ６０の軸部６０ｂを支持し、ドライバ６０を回転及びスライド移動可能にガイドするドライバガイド溝６１ｂを備える。
【０１７０】
ドライバアーム６１は、押圧面６１ａが凹状に湾曲した曲面で構成され、ドライバガイド溝６１ｂが、押圧面６１ａに倣って前後方向に延在して凹状に湾曲した長穴で構成される。
【０１７１】
マガジンユニット５とドライバユニット６は、マガジンガイド５１とドライバアーム６１が、軸５４ｆを支点に回転可能な状態で、下ハンドルフレーム４の上ハンドル取付部４０に取り付けられる。本例では、マガジンストッパ５４ａと同軸で、マガジンガイド５１とドライバアーム６１が回転する。
【０１７２】
ドライバユニット６は、ドライバアーム６１に取り付けられたドライバ６０が、マガジンガイド５１に取り付けられたスプリングガイド５６によって、マガジン５０のマガジン前壁５０ａに沿ってガイドされる。
【０１７３】
マガジン５０と用紙が接触せず、ドライバアーム６１とマガジンガイド５１が軸５４ｆを支点に一体的に回転している間は、ドライバ６０とマガジン５０との相対的な位置関係は変化しない。
【０１７４】
クリンチャユニット２Ａとマガジン５０の間に用紙が挟持され、ドライバアーム６１がマガジンガイド５１に対して回転すると、マガジンガイド５１に対するドライバアーム６１の回転動作で、ドライバ６０がドライバアーム６１に押圧される。
【０１７５】
ドライバ６０は、軸部６０ｂがドライバガイド溝６１ｂに沿って移動可能であるので、ドライバアーム６１の回転に伴い、ドライバアーム６１の押圧面６１ａと、ドライバ６０のドライバ押圧部６０ｃが接する位置が変位する。これにより、ステープル１０Ｌ，１０Ｓを押圧するドライバ６０の角度が所定の角度で保たれる。
【０１７６】
ドライバアーム６１は、待機状態では、リンク５８のドライバ押圧部５８ｃとの間に空走空間６１ｃが形成され、ドライバアーム６１とリンク５８は接触していない。マガジン５０と用紙が接触せず、ドライバアーム６１とマガジンガイド５１が軸５４ｆを支点に一体的に回転している間は、ドライバアーム６１とリンク５８のドライバ押圧部５８ｃの間の空走空間６１ｃが保持される。
【０１７７】
そして、クリンチャユニット２Ａとマガジン５０の間に用紙が挟持され。ドライバアーム６１がマガジンガイド５１に対して回転すると、ドライバアーム６１の回転動作でリンク５８が押圧され、軸５８ａを支点にリンク５８を回転させて、スライダ３を作動させる。
【０１７８】
＜ハンドルユニットの構成例＞
ハンドルユニット７は、ドライバアーム６１を押圧するハンドルアーム７０と、ハンドルアーム７０を覆う上ハンドルカバー７１と、上ハンドルカバー７１とドライバアーム６１との間に形成される隙間を覆うフロントカバー７２を備える。
【０１７９】
ハンドルアーム７０は、下ハンドルフレーム４の上ハンドル取付部４０に取り付けられた軸７０ａに挿入される軸穴部７０ｂを備え、軸７０ａ及び軸穴部７０ｂを介して下ハンドルフレーム４に取り付けられる。また、ハンドルアーム７０は、軸５４ｆにより下ハンドルフレーム４の上ハンドル取付部４０に支持されたドライバアーム６１と、軸７０ｃにより連結される。
【０１８０】
ハンドルアーム７０は、軸穴部７０ｂが所定の長穴形状で構成される。本例では、軸穴部７０ｂは、ドライバアーム６１の回転支点となる軸５４ｆに対する距離が、ハンドルアーム７０及びドライバアーム６１の回転動作に伴い所定のパターンで変化する。
【０１８１】
ハンドルユニット７とドライバユニット６は、ハンドルアーム７０に力が掛かる点とハンドルアーム７０の回転支点となる軸穴部７０ｂとの距離と、ドライバアーム６１に力を掛ける点である軸７０ｃと軸穴部７０ｂとの距離の比率、及び、軸７０ｃとドライバアーム６１の回転支点となる軸５４ｆとの距離と、ドライバ６０に力を掛ける点と軸５４ｆとの距離の比率により、ハンドルアーム７０に掛ける荷重を低減した倍力機構を実現している。
【０１８２】
そして、軸穴部７０ｂの形状により、ハンドルアーム７０を押圧する初期では荷重が重く、ステープル１０Ｌ及びステープル１０Ｓが用紙を貫通する段階で荷重が軽くなるように構成される。
【０１８３】
このような倍力機構を備えることで、ハンドルアーム７０のストロークが長くなり、ハンドルアーム７０に取り付けられた上ハンドルカバー７１とドライバアーム６１との間に隙間が生じる。そこで、図１に示すように、上ハンドルカバー７１とドライバアーム６１との隙間を覆うフロントカバー７２が取り付けられる。
【０１８４】
図３４は、フロントカバーの一例を示す斜視図である。フロントカバー７２は、上ハンドルカバー７１とドライバアーム６１との隙間の前方と側方を覆う形状を有する。フロントカバー７２は、図１に示すように、一方の端部に設けられた軸部７２ａが、ハンドルアーム７０に設けられた軸穴部７０ｄに挿入され、軸部７２ａを支点として回転可能な状態でハンドルアーム７０に取り付けられる。
【０１８５】
また、フロントカバー７２は、図３４に示すように、他方の端部に形成された溝部７２ｂが、ドライバアーム６１に設けられたガイド凸部６１ｄに挿入され、ガイド凸部６１ｄを支点に回転及びスライド移動可能な状態でドライバアーム６１に取り付けられる。ガイド凸部６１ｄは、抜け止め防止形状として、本例ではＴ形状に構成されて抜け止め防止部６１ｅが設けられ、フロントカバー７２の溝部７２ｂにスライド移動及び回転可能に挿入されると共に、溝部７２ｂが外れることが防止される。
【０１８６】
なお、フロントカバー７２とドライバアーム６１の取り付け構造は、フロントカバー７２に側に、抜け止め防止形状を持つガイド凸部を備え、ドライバアーム６１側に、ガイド凸部が回転及びスライド移動可能に挿入される溝部を備える構成としても良い。また、フロントカバー７２とドライバアーム６１を、軸部と軸穴部で回転可能に連結すると共に、フロントカバー７２とハンドルアーム７０を長穴状の軸穴部と軸部で回転及びスライド移動可能に連結する構成としても良い。
【０１８７】
＜本実施の形態のステープラの動作例＞
図３５は、本実施の形態のステープラで用紙を綴じる動作を示す側断面図、図３６は、本実施の形態のステープラで用紙を綴じる動作を示す斜視図で、次に、各図を参照して、本実施の形態のステープラ１Ａで用紙を綴じる動作について説明する。
【０１８８】
まず、ステープラ１Ａの待機状態では、図３５（ａ）に示すように、上ハンドルカバー７１とドライバアーム６１との隙間が、上ハンドルカバー７１とドライバアーム６１に取り付けられたフロントカバー７２で覆われている。これにより、上ハンドルカバー７１とドライバアーム６１との隙間に何らかの物体が挿入されることが防止される。
【０１８９】
用紙を綴じる動作では、用紙Ｐが下ハンドルユニット１１ａの下ハンドルカバー４１及びクリンチャカバー４２上に載置される。ステープラ１Ａでは、用紙ガイド４３の位置を調整して、用紙Ｐを用紙ガイド４３に突き当てることで、ステープル１０Ｌあるいはステープル１０Ｓによる綴じ位置が合わせられる。
【０１９０】
用紙Ｐが載置され、待機状態から上ハンドルカバー７１が矢印Ａ方向に押されると、上ハンドルカバー７１に覆われたハンドルアーム７０が、図３等に示す軸７０ａと軸穴部７０ｂとの接点を移動支点として回転する。ハンドルアーム７０が回転することで、軸７０ｃの変位によりドライバアーム６１が押圧され、ドライバアーム６１が軸５４ｆを支点に回転する。
【０１９１】
ハンドルユニット７とドライバユニット６は、ハンドルアーム７０に力が掛かる点と軸穴部７０ｂとの距離と、軸７０ｃと軸穴部７０ｂとの距離の比率、及び、軸７０ｃと軸５４ｆとの距離と、ドライバ６０に力を掛ける点と軸５４ｆとの距離の比率により、ハンドルアーム７０に掛かる荷重が低減される。そして、軸穴部７０ｂの形状により、ハンドルアーム７０を押圧する初期では荷重が重く、図３５（ｂ）に示すように、ステープル１０Ｌあるいはステープル１０Ｓが用紙Ｐを貫通する段階で荷重が軽くなる。
【０１９２】
上ハンドルカバー７１が押されると、上ハンドルカバー７１とドライバアーム６１との隙間が徐々に狭くなる。フロントカバー７２は、上ハンドルカバー７１及びハンドルアーム７０と、ドライバアーム６１の変位に伴い、ハンドルアーム７０に対して軸部７２ａを支点に回転する。
【０１９３】
一方、ドライバアーム６１に対しては、図１に示すように、溝部７２ｂとガイド凸部６１ｄの係合で、ガイド凸部６１ｄを支点に回転及びスライド移動する。上ハンドルカバー７１とドライバアーム６１との隙間が狭くなる方向に変位すると、ハンドルアーム７０側の軸部７２ａと、ドライバアーム６１側のガイド凸部６１ｄとの距離が短くなる。これにより、上ハンドルカバー７１とドライバアーム６１との隙間の変位にフロントカバー７２を追従させることができる。
【０１９４】
また、フロントカバー７２は、ハンドルアーム７０に対しては、軸部７２ａで係合しており、容易に外れることはない。また、ドライバアーム６１に対しては、溝部７２ｂとガイド凸部６１ｄの係合で、上ハンドルカバー７１とドライバアーム６１との隙間の変位に対しては自由に動くが、容易に外れることはない。これにより、フロントカバー７２のみが動かされて、何らかの物体が上ハンドルカバー７１とドライバアーム６１との隙間に挟まれることが防止される。
【０１９５】
図３７〜図３９は、本実施の形態のステープラにおけるステープルの打ち出し動作の一例を示す動作説明図であり、次に、各図を参照して、ステープル１０Ｌ及びステープル１０Ｓを打ち出す時のマガジンユニット５及びドライバユニット６の動作について説明する。ここで、図３７，図３８は、針足の長いステープル１０Ｌを打ち出す動作を示し、図３９は、針足の短いステープル１０Ｓを打ち出す動作を示す。
【０１９６】
待機状態からハンドルアーム７０が押圧される初期段階では、マガジン５０と用紙Ｐが接触せず、ドライバアーム６１とマガジンガイド５１が軸５４ｆを支点に一体的に回転する。
【０１９７】
クリンチャユニット２Ａとマガジン５０の間に用紙Ｐが挟持されると、マガジンガイド５１の回転は規制され、ハンドルアーム７０が更に押圧されることで、ドライバアーム６１がマガジンガイド５１に対して回転する。
【０１９８】
ドライバアーム６１がマガジンガイド５１に対して回転すると、ドライバ６０がドライバアーム６１に押圧される。図１１（ａ）に示すような針足１０Ｌｂが長いステープル１０Ｌを使用可能とした構成では、ドライバのストロークが長く必要となる。このため、ドライバがドライバアームに固定された構成では、ドライバアーム６１の回転に伴い、マガジン５０のマガジン前壁５０ａに対するドライバの角度の変化が大きくなる。
【０１９９】
これに対し、ドライバ６０は、ドライバアーム６１の回転に伴い、ドライバアーム６１の押圧面６１ａと、ドライバ６０のドライバ押圧部６０ｃが接する位置が変位し、ステープル１０Ｌあるいはステープル１０Ｓを押圧するドライバ６０の角度が、マガジン５０のマガジン前壁５０ａに沿うように、所定の角度で保たれる。
【０２００】
まず、図３７及び図３８に示す針足１０Ｌｂの長いステープル１０Ｌを打ち出す動作について説明する。マガジン５０に装填されたステープル１０Ｌがドライバ６０で押圧されると、ステープル１０Ｌの先頭の１本は、図２５に示すせん断ガイド部５２ａにより形成される隙間上に位置し、２本目以降はステープルガイド５２の上面に支持された状態であるので、１本目のステープル１０Ｌにせん断力が加わり分離する。
【０２０１】
ドライバ６０で押圧される１本に分離されたステープル１０Ｌは、マガジン前壁５０ａとせん断ガイド部５２ａとの隙間から、マガジン前壁５０ａと押圧ガイド部５２ｂとの隙間に入る。
【０２０２】
マガジン５０は、上述したように、ステープルガイド５２がコイルスプリング５０ｄ及びマガジンロックバネ５４ｃによって前方に押圧されており、ステープル１０Ｌを打ち出している行程以外では、ステープルガイド５２の第１の幅ガイド部５２ｃがマガジン前壁５０ａに接している。
【０２０３】
押圧ガイド部５２ｂは、第１の幅ガイド部５２ｃがマガジン前壁５０ａに接している状態で、マガジン前壁５０ａとの間隔ｔ２が、１本のステープル１０Ｌの針線幅より若干狭く構成される。
【０２０４】
これにより、ドライバ６０で押圧される１本に分離されたステープル１０Ｌは、針クラウン１０Ｌａの左右両端側で押圧ガイド部５２ｂを押し、コイルスプリング５０ｄを引っ張る方向に弾性変形させると共に、マガジンロックバネ５４ｃを圧縮する方向に弾性変形させて、ステープルガイド５２を矢印Ｒ方向に後退させる。
【０２０５】
ステープルガイド５２を後退させることで、押圧ガイド部５２ｂとマガジン前壁５０ａの間に入るステープル１０Ｌは、コイルスプリング５０ｄ及びマガジンロックバネ５４ｃにより、針クラウン１０Ｌａの両端側が押圧ガイド部５２ｂでマガジン前壁５０ａに押圧される。
【０２０６】
ドライバによる押圧で１本のステープルを分離して打ち出すためには、ステープルガイドの先端とマガジン前壁との間に、１本のステープルの針線幅より広い隙間を設ける必要がある。ステープルガイドの先端とマガジン前壁との隙間が、ステープルの針線幅より広い区間では、ステープルの針クラウンが前後に動ける。
【０２０７】
このため、ステープルの針足の先端が用紙に着地して貫通を始める前に、ステープルの姿勢が変化する可能性があった。また、針足が長いステープルでは、ステープルの針足の先端が用紙に着地して貫通を始めた後でも、ステープルガイドの先端とマガジン前壁との隙間が、ステープルの針線幅より広い区間に針クラウンが存在して、針足の貫通中に、ステープルの姿勢が変化する可能性があった。
【０２０８】
本実施の形態では、ステープルガイド５２の先端にせん断ガイド部５２ａと押圧ガイド部５２ｂを備えることで、せん断ガイド部５２ａでステープル１０Ｌを１本に分離し、１本に分離されたステープル１０Ｌの針クラウン１０Ｌａを、押圧ガイド部５２ｂでガイドすることができる。
【０２０９】
押圧ガイド部５２ｂとマガジン前壁５０ａとの間を通るステープル１０Ｌは、針クラウン１０Ｌａの両端側が押圧ガイド部５２ｂでマガジン前壁５０ａに押圧されるので、ステープル１０Ｌの針クラウン１０Ｌａが前後に動ける隙間は生じない。
【０２１０】
また、上述したように、針足１０Ｌｂが長いステープル１０Ｌが使用される場合に、針足１０Ｌｂの先端が用紙に到達する前に、針クラウン１０Ｌａが押圧ガイド部５２ｂでガイドされるように、せん断ガイド部５２ａの形状が設定される。
【０２１１】
これにより、ステープル１０Ｌの針足１０Ｌｂの先端が用紙Ｐに着地して貫通を始める前に、ステープル１０Ｌの姿勢が変化することを防止できる。また、針足１０Ｌｂが長いステープル１０Ｌでも、ステープル１０Ｌの針足１０Ｌｂの先端が用紙Ｐに着地して貫通を始める前に、針クラウン１０Ｌａがせん断ガイド部５２ａを抜けて、押圧ガイド部５２ｂでガイドされるので、針足１０Ｌｂの貫通中に、ステープル１０Ｌの姿勢が変化することを防止できる。
【０２１２】
針クラウン１０Ｌａが押圧ガイド部５２ｂでガイドされる区間にあるステープル１０Ｌは、２本の針足１０Ｌｂの間隔が、第１の幅ガイド部５２ｃでガイドされることで、左右方向のガイドを第１の幅ガイド部５２ｃで行うことができる。
【０２１３】
ドライバ６０で押圧されるステープル１０Ｌは、針クラウン１０Ｌａが押圧ガイド部５２ｂを通過すると、ステープルガイド５２を更に後退させて、第１の幅ガイド部５２ｃとマガジン前壁５０ａの間に形成される隙間に入る。針クラウン１０Ｌａが第１の幅ガイド部５２ｃとマガジン前壁５０ａとの間でガイドされる区間にあるステープル１０Ｌは、針足１０Ｌｂが用紙Ｐを貫通するので、第１の幅ガイド部５２ｃでの幅方向のガイドが無くても、ステープルの姿勢が変化することを防止できる。
【０２１４】
ステープルホルダ５３の動作の詳細については後述するが、針クラウン１０Ｌａが押圧ガイド部５２ｂでガイドされる区間にあるステープル１０Ｌ、及び、針クラウン１０Ｌａが第１の幅ガイド部５２ｃとマガジン前壁５０ａとの間でガイドされる区間にあるステープル１０Ｌは、ステープルホルダ５３の針クラウンガイド部５３ａで、突き出し部５３ｄにより針クラウン１０Ｌａが押し上げられる方向に力が加えられる。これにより、ドライバ６０の押圧によって、針クラウン１０Ｌａの中央付近が下方に向けて撓むような変形を防止することができる。
【０２１５】
次に、図３９に示す針足１０Ｓｂの短いステープル１０Ｓを打ち出す動作について説明する。針足１０Ｓｂの短いステープル１０Ｓがマガジン５０に装填されると、針足１０Ｓｂの先端の内側が第２の幅ガイド部５２ｄに接し、ステープル１０Ｓの針足１０Ｓｂが幅方向にガイドされる。
【０２１６】
マガジン５０に装填されたステープル１０Ｓがドライバ６０で押圧されると、針足の長いステープル１０Ｌと同様に、ステープル１０Ｓの先頭の１本は、図２５に示すせん断ガイド部５２ａにより形成される隙間上に位置し、２本目以降はステープルガイド５２の上面に支持された状態であるので、１本目のステープル１０Ｓにせん断力が加わり分離する。
【０２１７】
ドライバ６０で押圧される１本に分離されたステープル１０Ｓは、針クラウン１０Ｓａの左右両端側で押圧ガイド部５２ｂを押し、コイルスプリング５０ｄを引っ張る方向に弾性変形させると共に、マガジンロックバネ５４ｃを圧縮する方向に弾性変形させて、ステープルガイド５２を矢印Ｒ方向に後退させる。
【０２１８】
これにより、ドライバ６０で押圧される１本に分離されたステープル１０Ｓは、ステープルガイド５２を後退させることで、マガジン前壁５０ａとせん断ガイド部５２ａとの隙間から、マガジン前壁５０ａと押圧ガイド部５２ｂとの隙間に入る。
【０２１９】
ステープルガイド５２を後退させることで、押圧ガイド部５２ｂとマガジン前壁５０ａの間に入るステープル１０Ｓは、付勢手段であるコイルスプリング５０ｄ及びマガジンロックバネ５４ｃにより、針クラウン１０Ｓａの両端側が押圧ガイド部５２ｂでマガジン前壁５０ａに押圧される。
【０２２０】
これにより、針足１０Ｓｂの短いステープル１０Ｓであっても、針クラウン１０Ｓａが押圧ガイド部５２ｂとマガジン前壁５０ａとの間を通り押圧ガイド部５２ｂでガイドされる区間にある１本に分離されたステープル１０Ｓは、針クラウン１０Ｓａが前後に動くことが防止される。
【０２２１】
さて、マガジンユニット５では、図３８及び図３９に示すように、マガジン５０にステープル１０Ｌあるいはステープル１０Ｓが装填されると、ステープルガイド５２にステープル１０Ｌの針クラウン１０Ｌａあるいはステープル１０Ｓの針クラウン１０Ｓａが載る形態となる。
【０２２２】
マガジン５０は、図３８に示すように、針足１０Ｌｂの長いステープル１０Ｌが装填可能となるように高さ方向の寸法が設定されており、図３９に示すように、針足１０Ｓｂの短いステープル１０Ｓが装填された場合には、針足１０Ｓｂの下端と、マガジン５０の開口部５０ｂまでの距離が長くなる。
【０２２３】
このため、マガジン５０に装填された針足１０Ｓｂの短いステープル１０Ｓが１本に分離されて打ち出されると、１本に分離された先行するステープル１０Ｓの針足１０Ｓｂの先端が用紙Ｐに着地する前に、先行するステープル１０Ｓの針クラウン１０Ｓａが、後続するステープル１０Ｓの針足１０Ｓｂの先端から抜ける。
【０２２４】
マガジン５０に装填されたステープル１０Ｌ及びステープル１０Ｓは、プッシャ５５によりマガジン前壁５０ａに押圧される。図３８（ａ）に示すように、針足１０Ｌｂの長いステープル１０Ｌでは、１本に分離された先行するステープル１０Ｌの針足１０Ｌｂの先端が用紙Ｐに着地して、用紙Ｐに貫通を開始した段階で、先行するステープル１０Ｌの針クラウン１０Ｌａが、後続するステープル１０Ｌの針足１０Ｌｂの先端から抜けない。
【０２２５】
これにより、針足１０Ｌｂの長いステープル１０Ｌでは、１本に分離された先行するステープル１０Ｌの針足１０Ｌｂが用紙Ｐに貫通を開始した段階で、１本に分離された先行するステープル１０Ｌは、プッシャ５５に押圧された後続のステープル１０Ｌ、あるいは、プッシャ５５によりマガジン前壁５０ａに押圧される。従って、針足１０Ｌｂの長いステープル１０Ｌでは、針足１０Ｌｂの貫通開始前に、ステープル１０Ｌの姿勢が変化することを防止できる。
【０２２６】
一方、図３９に示すように、針足１０Ｓｂの短いステープル１０Ｓでは、１本に分離された先行するステープル１０Ｓの針足１０Ｓｂの先端が用紙Ｐに着地する前に、１本に分離された先行するステープル１０Ｓの針クラウン１０Ｓａが、後続するステープル１０Ｓの針足１０Ｓｂの先端から抜ける。
【０２２７】
１本に分離された先行するステープル１０Ｓの針クラウン１０Ｓａが、後続するステープル１０Ｓの針足１０Ｓｂの先端から抜けると、後続するステープル１０Ｓがマガジン前壁５０ａまで前進し、先行のステープル１０Ｓにはプッシャ５５による押圧力が掛からない。
【０２２８】
このため、針足１０Ｓｂの短いステープル１０Ｓでは、１本に分離された先行するステープル１０Ｓの針足１０Ｓｂの先端が用紙Ｐに着地する前に、先行のステープル１０Ｓにはプッシャ５５による押圧力が掛からなくなる。
【０２２９】
これにより、針足１０Ｓｂの短いステープル１０Ｓがマガジン５０に装填された場合、１本に分離されたステープル１０Ｓの打ち出しに伴って、用紙に着地する前の針足１０Ｓｂの先端が後側に流れる可能性がある。
【０２３０】
針足１０Ｓｂの短いステープル１０Ｓでは、１本に分離された先行するステープル１０Ｓの針クラウン１０Ｓａが、後続するステープル１０Ｓの針足１０Ｓｂの先端から抜ける段階で、先行するステープル１０Ｓの針足１０Ｓｂの先端が、第１の幅ガイド部５２ｃと接する位置に到達する。
【０２３１】
上述したように、左右一対の第１の幅ガイド部５２ｃの外寸が、ステープル１０Ｓの針クラウン１０Ｓａの外寸と略同じ幅あるいは若干広い幅で構成されるので、１本に分離されたステープル１０Ｓで、用紙に着地する前の針足１０Ｓｂの先端が後側に流れると、針足１０Ｓｂは針足ガイド部５２ｅに当たる。
【０２３２】
１本に分離されたステープル１０Ｓの針クラウン１０Ｓａが、押圧ガイド部５２ｂとマガジン前壁５０ａとの間に入ることで、ステープルガイド５２が後退しているが、この１本に分離されたステープル１０Ｓの針足１０Ｓｂと、針足ガイド部５２ｅが接するように、針足ガイド部５２ｅの形状が設定されている。
【０２３３】
針足ガイド部５２ｅは、左右一対の第１の幅ガイド部５２ｃの外寸が、前端側に向かって徐々に狭くなる方向に傾斜しており、針足ガイド部５２ｅに接する針足１０Ｓｂは、ステープル１０Ｓの打ち出しに伴って、第１の幅ガイド部５２ｃの前端側に移動する力が掛かり、マガジン前壁５０ａ方向に誘導される。
【０２３４】
これにより、針足１０Ｓｂの短いステープル１０Ｓで、１本に分離された先行するステープル１０Ｓの針足１０Ｓｂの先端が用紙Ｐに着地する前に、先行のステープル１０Ｓにプッシャ５５による押圧力が掛からなくなっても、針足１０Ｓｂの貫通開始前に、ステープル１０Ｓの姿勢が変化することを防止できる。従って、用紙Ｐを貫通したステープル１０Ｓの針足１０Ｓｂがクリンチャユニット２Ａのクリンチャ２０Ｌ，２０Ｒから外れることを防ぐことができ、綴じ不良発生を抑えることができる。
【０２３５】
図４０は、本実施の形態の針足ガイド部の変形例を示すステープルガイドの斜視図であり、次に、針足ガイド部の変形例について説明する。ここで、針足ガイド部以外のステープルガイド５２の構成は、図２４で説明した実施の形態と同様で良く、本例では同じ符号を付して説明する。
【０２３６】
変形例の針足ガイド部５２ｆは針足ガイド手段の一例で、１本に分離された主に針足の短いステープル１０Ｓの針足１０Ｓｂを、ドライバユニット６によるステープル１０Ｓの打ち出しに伴って、図２５等に示すマガジン前壁５０ａ方向にガイドする。
【０２３７】
針足ガイド部５２ｆは、本例ではステープルガイド５２の第１の幅ガイド部５２ｃに設けられる。針足ガイド部５２ｆは、ステープルガイド５２の左右に突出した第１の幅ガイド部５２ｃと、ステープルガイド５２との間に形成される斜面を、前端側に向かって下降する方向に傾斜した傾斜面として構成される。
【０２３８】
針足ガイド部５２ｆにステープル１０Ｓの針足１０Ｓｂが接すると、ステープル１０Ｓの打ち出しに伴って、針足ガイド部５２ｆの傾斜により針足１０Ｓｂには第１の幅ガイド部５２ｃの前端側に移動する力が掛かり、針足１０Ｓｂがマガジン前壁５０ａ方向に誘導される。
【０２３９】
これにより、針足の短いステープル１０Ｓがマガジン５０に装填された場合、用紙に着地する前の針足１０Ｓｂの先端が後側に流れても、ステープル１０Ｓの打ち出しに伴って、針足ガイド部５２ｆの傾斜面により針足１０Ｓｂがマガジン前壁５０ａ方向に誘導される。従って、針足１０Ｓｂの貫通開始前に、ステープル１０Ｓの姿勢が変化することを防止できる。
【０２４０】
図４１は、本実施の形態の針足ガイド部の他の変形例を示すステープルガイドの斜視図である。
【０２４１】
他の変形例の針足ガイド部５２ｇは針足ガイド手段の一例で、１本に分離された主に針足の短いステープル１０Ｓの針足１０Ｓｂを、ドライバユニット６によるステープル１０Ｓの打ち出しに伴って、図２５等に示すマガジン前壁５０ａ方向にガイドする。
【０２４２】
針足ガイド部５２ｇは、本例ではステープルガイド５２の第１の幅ガイド部５２ｃに設けられる。針足ガイド部５２ｇは、ステープルガイド５２の左右に突出した第１の幅ガイド部５２ｃと、ステープルガイド５２との間に形成される斜面に、後端側より前端側が下がる段差を設け、段差部分に、前端側に向かって下降する方向に傾斜した傾斜面を設けて構成される。
【０２４３】
針足ガイド部５２ｇにステープル１０Ｓの針足１０Ｓｂが接すると、ステープル１０Ｓの打ち出しに伴って、針足ガイド部５２ｇの傾斜により針足１０Ｓｂには第１の幅ガイド部５２ｃの前端側に移動する力が掛かり、針足１０Ｓｂがマガジン前壁５０ａ方向に誘導される。
【０２４４】
これにより、針足の短いステープル１０Ｓがマガジン５０に装填された場合、用紙に着地する前の針足１０Ｓｂの先端が後側に流れても、ステープル１０Ｓの打ち出しに伴って、針足ガイド部５２ｇの傾斜面により針足１０Ｓｂがマガジン前壁５０ａ方向に誘導される。従って、針足１０Ｓｂの貫通開始前に、ステープル１０Ｓの姿勢が変化することを防止できる。
【０２４５】
図４２は、本実施の形態の針足ガイド部の他の変形例を示すマガジンの破断斜視図である。
【０２４６】
他の変形例の針足ガイド部５２ｈは針足ガイド手段の一例で、１本に分離された主に針足の短いステープル１０Ｓの針足１０Ｓｂを、ドライバユニット６によるステープル１０Ｓの打ち出しに伴って、図２５等に示すマガジン前壁５０ａ方向にガイドする。
【０２４７】
針足ガイド部５２ｈは、本例ではマガジン５０に設けられる。マガジン５０は、開口部５０ｂに面した左右のマガジン側壁５０ｃの内面に、ステープル１０Ｓの針足１０Ｓｂあるいはステープル１０Ｌの針足１０Ｌｂの外側に接する突出高さで凸部５２ｉが設けられる。
【０２４８】
マガジン５０は、マガジン側壁５０ｃから内側に突出した凸部５２ｉと、マガジン側壁５０ｃとの間に、マガジン前壁５０ａに向かって下降する方向に傾斜した傾斜面を設けて針足ガイド部５２ｈが形成される。また、マガジン５０は、針足ガイド部５２ｈの下端と、マガジン前壁５０ａとの間のマガジン側壁５０ｃで、ガイド溝部５２ｊが形成される。ガイド溝部５２ｊは、ステープル１０Ｓの針足１０Ｓｂ及びステープル１０Ｌの針足１０Ｌｂの針線幅と略同等に構成される。
【０２４９】
針足ガイド部５２ｈにステープル１０Ｓの針足１０Ｓｂが接すると、ステープル１０Ｓの打ち出しに伴って、針足ガイド部５２ｈの傾斜により針足１０Ｓｂにはマガジン前壁５０ａ方向に移動する力が掛かり、針足１０Ｓｂがマガジン前壁５０ａ方向に誘導されてガイド溝部５２ｊに入る。
【０２５０】
これにより、針足の短いステープル１０Ｓがマガジン５０に装填された場合、用紙に着地する前の針足１０Ｓｂの先端が後側に流れても、ステープル１０Ｓの打ち出しに伴って、針足ガイド部５２ｈの傾斜面により針足１０Ｓｂがマガジン前壁５０ａ方向に誘導される。従って、針足１０Ｓｂの貫通開始前に、ステープル１０Ｓの姿勢が変化することを防止できる。
【０２５１】
図４３〜図４６は、本実施の形態のステープラにおけるステープルホルダの動作の一例を示す動作説明図、図４７〜図４９は、従来のステープラにおけるステープルホルダの動作の一例を示す動作説明図である。次に、各図を参照して、突き出し部５３ｄを有した本実施の形態のステープルホルダ５３と、突き出し部が設けられていない従来のステープルホルダ５３Ｚの動作について説明する。
【０２５２】
ここで、図４３は、ステープルを打ち出す過程における上面図、図４４は、待機状態における側断面図、図４５は、ステープルが貫通中の状態における側断面図、図４６は、ステープルが貫通終了直前の状態における側断面図である。
【０２５３】
また、図４７は、ステープルを打ち出す過程における上面図、図４８は、針クラウンの端部における針クラウンとステープルホルダの状態を示す図４７のＢ−Ｂ線断面図、図４９は、針クラウンの中央部における針クラウンとステープルホルダの状態を示す図４７のＣ−Ｃ線断面図である。
【０２５４】
上述したように、マガジン５０は、マガジン側壁５０ｃを構成する側板の先端側を内側に折り曲げてマガジン前壁５０ａが構成されることで、図４３及び図４７に示すように、左右一対のマガジン前壁５０ａの溝部５０ａｗ側が前方に突出するような開いた形態となる場合がある。
【０２５５】
ステープル１０Ｓ（１０Ｌ）は、図３３に示すように、一対の針足１０Ｓｂ（１０Ｌｂ）のそれぞれ略直上の部位がドライバ６０の押圧部６０ｄで押圧される。本例では、ステープル１０Ｓ（１０Ｌ）とドライバ６０が接する部位が斜面で構成され、一対の針足１０Ｓｂ（１０Ｌｂ）に用紙Ｐを貫通させる方向の力が加えられる。一方、針クラウン１０Ｓａ（１０Ｌａ）を長手方向の両端側から内側に押す方向の力も加わる。
【０２５６】
これにより、マガジン前壁５０ａの溝部５０ａｗが開いた形態であると、針クラウン１０Ｓａが長手方向の両端側から内側に押されることによって、ステープル１０Ｓを打ち出す過程で、図４３及び図４７に示すように、針クラウン１０Ｓａは長手方向の中央部が前方に突出する方向に湾曲した形状となる場合がある。図４３及び図４７では図示しないが、針足の長いステープル１０Ｌでも同様である。
【０２５７】
まず、ステープルホルダ５３Ｚに突き出し部が設けられていない従来の構成での動作について説明する。１本に分離されたステープル１０Ｓを押圧して、針足１０Ｓｂを用紙Ｐに貫通させる過程で、針クラウン１０Ｓａの長手方向の中央部が前方に突出する方向に湾曲していると、図４８に示すように、針クラウン１０Ｓａの端部側では、針クラウン１０Ｓａはステープルホルダ５３Ｚの針クラウンガイド部５３Ｚａと接する。
【０２５８】
しかし、図４９に示すように、針クラウン１０Ｓａの中央部付近では、針クラウン１０Ｓａはステープルホルダ５３Ｚの針クラウンガイド部５３Ｚａと接しない。これにより、ステープル１０Ｓを打ち出す過程で、針クラウン１０Ｓａの長手方向における中央部付近を支えることができず、針クラウン１０Ｓａの変形を抑えることができず、座屈が発生する可能性があった。
【０２５９】
次に、ステープルホルダ５３に突き出し部５３ｄが設けられた本実施の形態の構成での動作について説明する。図４４に示す待機状態では、ステープル１０Ｓの先頭の１本は分離しておらず、ステープル１０Ｓの針クラウン１０Ｓａはステープルホルダ５３の突き出し部５３ｄに到達していない。
【０２６０】
上述したように、ドライバ６０の押圧部６０ｄに押圧されて、ステープル１０Ｓが１本に分離されて打ち出されると、図４５に示すように、ステープル１０Ｓの針足１０Ｓｂが用紙Ｐへの貫通を開始し、針クラウン１０Ｓａがステープルホルダ５３の突き出し部５３ｄに到達する。
【０２６１】
ステープル１０Ｓがドライバ６０で更に押圧されると、１本に分離されたステープル１０Ｓの打ち出しに伴って、ステープル１０Ｓの針クラウン１０Ｓａにより突き出し部５３ｄが押圧される。ステープルホルダ５３では、突き出し部５３ｄが押圧されると、主にバネ部５３ｃの弾性変形によって、針クラウンガイド部５３ａが後退する方向に変位し、針クラウンガイド部５３ａの変位によって突き出し部５３ｄが後退する。
【０２６２】
１本に分離されたステープル１０Ｓの打ち出しに伴って、ステープル１０Ｓとステープルホルダ５３は、針クラウン１０Ｓａの長手方向の中央部が突き出し部５３ｄと接する。
【０２６３】
これにより、１本に分離されたステープル１０Ｓをドライバ６０で押圧して、針足１０Ｓｂを用紙Ｐに貫通させる過程で、ステープル１０Ｓの針クラウン１０Ｓａの長手方向における中央部付近が、バネ部５３ｃが復元しようとする力で押し上げられる方向に変位しようとする突き出し部５３ｄにより下側から支えられる。
【０２６４】
上述したように、ステープル１０Ｓを打ち出す過程で、針クラウン１０Ｓａが長手方向の両端側から内側に押される方向の力が加わることにより、針クラウン１０Ｓａには長手方向の中央部が下方に湾曲しようとする力が掛かる。これに対して、ステープル１０Ｓの針クラウン１０Ｓａの長手方向における中央部付近が突き出し部５３ｄにより下側から支えられることで、針クラウン１０Ｓａの変形が抑えられる。従って、針クラウン１０Ｓａの中央部付近が下方に湾曲する所謂Ｍ字座屈の発生を抑えることができる。
【０２６５】
そして、１本に分離されたステープル１０Ｓの打ち出しに伴って、突き出し部５３ｄとマガジン前壁５０ａとの間に、１本に分離されたステープル１０Ｓの針クラウン１０Ｓａが通る隙間が形成され、針足の短いステープル１０Ｓでは、図４６に示すように、ステープル１０Ｓの針足１０Ｓｂの先端が用紙Ｐを貫通するタイミングで、針クラウン１０Ｓａが突き出し部５３ｄの先端から外れる。なお、以上の説明では針足の短いステープル１０Ｓを例にしたが、針足の長いステープル１０Ｌでも同様の効果を得ることができる。
【０２６６】
図５０は、従来の弾性爪片を有したステープルホルダの一例を示す斜視図で、次に、突き出し部５３ｄに連結部５３ｅが設けられた本実施の形態のステープルホルダ５３と、連結部が設けられていない従来の弾性爪片５３Ｙｄを有したステープルホルダ５３Ｙの動作について説明する。
【０２６７】
図５０に示す従来のステープルホルダ５３Ｙは、針クラウンガイド部５３Ｙａから前方に突出した弾性爪片５３Ｙｄが設けられているが、弾性爪片５３Ｙｄの側面と針クラウンガイド部５３Ｙａとの間には隙間が形成され、連結部に相当する構成は設けられていない。
【０２６８】
図５１は、本実施の形態のステープルホルダと従来のステープルホルダに掛かる応力を示すグラフである。図５０に示すような従来のステープルホルダ５３Ｙでは、ステープル（１０Ｌ，１０Ｓ）の打ち出しに伴って、弾性爪片５３Ｙｄが押圧されると、針クラウンガイド部５３Ｙａ全体を変位させるバネ部５３Ｙｃに掛かる応力ＦＹ１より、弾性爪片５３Ｙｄの基端部５３Ｙｆに掛かる応力ＦＹ２の方が高くなる。
【０２６９】
ステープラでは、ステープルを打ち出すことでステープルホルダに応力が繰り返し掛かるが、従来のステープルホルダ５３Ｙでは、針クラウンガイド部５３Ｙａよりも、弾性爪片５３Ｙｄが繰り返し変位することになり、弾性爪片５３Ｙｄの耐久性が劣る。
【０２７０】
これに対して、本実施の形態のステープルホルダ５３では、突き出し部５３ｄに掛かる荷重が連結部５３ｅにより針クラウンガイド部５３ａに伝達され、主にバネ部５３ｃの弾性変形による針クラウンガイド部５３ａの変位によって突き出し部５３ｄが後退する。
【０２７１】
これにより、本実施の形態のステープルホルダ５３では、図５１に示すように、針クラウンガイド部５３ａ全体を変位させるバネ部５３ｃに掛かる応力Ｆ１より、突き出し部５３ｄの基端部５３ｆに掛かる応力Ｆ２の方が低くなる。
【０２７２】
従って、連結部５３ｅが設けられた本実施の形態のステープルホルダ５３では、突き出し部５３ｄよりも、針クラウンガイド部５３ａが繰り返し変位することになり、突き出し部５３ｄの弾性変形による変位が抑えられ、突き出し部５３ｄに掛かる負荷が軽減されるので、耐久性が向上する。
【０２７３】
図５２は、本実施の形態のステープルホルダの変形例を示す斜視図、図５３は、本実施の形態のステープルホルダの変形例を示す断面図である。ここで、変形例のステープルホルダ５３Ｘにおいて、図２６等で説明したステープルホルダ５３と同様の構成については同じ符号を付して説明する。
【０２７４】
変形例のステープルホルダ５３Ｘは、弾性を有する材質、本例では、弾性を有した金属板材で構成され、図１１等で説明したステープル１０Ｌまたはステープル１０Ｓの打ち出しに伴って、ステープル１０Ｌの針クラウン１０Ｌａの長手方向における中央部付近、または、ステープル１０Ｓの針クラウン１０Ｓａの長手方向における中央部付近を、下側から支える突き出し部５３Ｘｄを備える。
【０２７５】
突き出し部５３Ｘｄは、ステープル１０Ｌ及びステープル１０Ｓの打ち出し方向に沿った針クラウンガイド部５３ａの中央部付近から、針クラウンガイド部５３ａの下端側に向けて前方に突出する。
【０２７６】
変形例の突き出し部５３Ｘｄは、針クラウンガイド部５３ａの幅方向における中央部付近に、断面形状が四角形状の凸部を設けることで構成される。突き出し部５３Ｘｄは、図５３（ａ）に示すように、プレス加工等により表裏を凹凸形状として構成しても良いし、図５３（ｂ）に示すように、中実状の凸部として構成しても良い。
【０２７７】
ステープルホルダ５３Ｘは、突き出し部５３Ｘｄに掛かる荷重を針クラウンガイド部５３ａに伝達する連結部５３Ｘｅを備える。連結部５３Ｘｅは、突き出し部５３Ｘｄの側面を針クラウンガイド部５３ａと一体とすることで構成される。
【０２７８】
これにより、ステープルホルダ５３Ｘでは、突き出し部５３Ｘｄに掛かる荷重が連結部５３Ｘｅにより針クラウンガイド部５３ａに伝達され、主にバネ部５３ｃの弾性変形による針クラウンガイド部５３ａの変位によって突き出し部５３Ｘｄが後退する。
【０２７９】
従って、変形例のステープルホルダ５３Ｘでも、ステープルの打ち出しに伴ってバネ部５３ｃの弾性変形で針クラウンガイド部５３ａが繰り返し変位することになり、耐久性が向上する。
【０２８０】
図５４は、本実施の形態のステープルホルダの他の変形例を示す斜視図である。ここで、変形例のステープルホルダ５３Ｗにおいて、図２６等で説明したステープルホルダ５３と同様の構成については同じ符号を付して説明する。
【０２８１】
変形例のステープルホルダ５３Ｗは、弾性を有する材質、本例では、弾性を有した金属板材で構成され、図１１等で説明したステープル１０Ｌまたはステープル１０Ｓの打ち出しに伴って、ステープル１０Ｌの針クラウン１０Ｌａの長手方向における中央部付近、または、ステープル１０Ｓの針クラウン１０Ｓａの長手方向における中央部付近を、下側から支える突き出し部５３Ｗｄを備える。
【０２８２】
突き出し部５３Ｗｄは、ステープル１０Ｌ及びステープル１０Ｓの打ち出し方向に沿った針クラウンガイド部５３ａの中央部付近から、針クラウンガイド部５３ａの下端側に向けて前方に突出する。
【０２８３】
変形例の突き出し部５３Ｗｄは、針クラウンガイド部５３ａの幅方向における中央部付近に、断面形状が三角形状の凸部を設けることで構成される。突き出し部５３Ｗｄは、プレス加工等により表裏を凹凸形状として構成しても良いし、中実状の凸部として構成しても良い。
【０２８４】
ステープルホルダ５３Ｗは、突き出し部５３Ｗｄに掛かる荷重を針クラウンガイド部５３ａに伝達する連結部５３Ｗｅを備える。連結部５３Ｗｅは、突き出し部５３Ｗｄの側面を針クラウンガイド部５３ａと一体とすることで構成される。
【０２８５】
これにより、ステープルホルダ５３Ｗでは、突き出し部５３Ｗｄに掛かる荷重が連結部５３Ｗｅにより針クラウンガイド部５３ａに伝達され、主にバネ部５３ｃの弾性変形による針クラウンガイド部５３ａの変位によって突き出し部５３Ｗｄが後退する。
【０２８６】
従って、変形例のステープルホルダ５３Ｗでも、ステープルの打ち出しに伴ってバネ部５３ｃの弾性変形で針クラウンガイド部５３ａが繰り返し変位することになり、耐久性が向上する。
【０２８７】
図５５は、本実施の形態のステープルホルダの他の変形例を示す斜視図である。ここで、変形例のステープルホルダ５３Ｖにおいて、図２６等で説明したステープルホルダ５３と同様の構成については同じ符号を付して説明する。
【０２８８】
変形例のステープルホルダ５３Ｖは、弾性を有する材質、本例では、弾性を有した金属板材で構成され、図１１等で説明したステープル１０Ｌまたはステープル１０Ｓの打ち出しに伴って、ステープル１０Ｌの針クラウン１０Ｌａの長手方向における中央部付近、または、ステープル１０Ｓの針クラウン１０Ｓａの長手方向における中央部付近を、下側から支える突き出し部５３Ｖｄを備える。
【０２８９】
突き出し部５３Ｖｄは、ステープル１０Ｌ及びステープル１０Ｓの打ち出し方向に沿った針クラウンガイド部５３ａの中央部付近から、針クラウンガイド部５３ａの下端側に向けて前方に突出する。
【０２９０】
変形例の突き出し部５３Ｖｄは、針クラウンガイド部５３ａの幅方向における中央部付近に、ステープル１０Ｌ及びステープル１０Ｓの打ち出し方向に沿った上下方向に延在する折り曲げ部を有した三角形状の折り曲げ片を設けることで構成される。
【０２９１】
ステープルホルダ５３Ｖは、突き出し部５３Ｖｄに掛かる荷重を針クラウンガイド部５３ａに伝達する連結部５３Ｖｅを備える。連結部５３Ｖｅは、突き出し部５３Ｖｄの針クラウンガイド部５３ａに対する折り曲げ部で構成される。
【０２９２】
これにより、ステープルホルダ５３Ｖでは、突き出し部５３Ｖｄに掛かる荷重が連結部５３Ｖｅにより針クラウンガイド部５３ａに伝達され、主にバネ部５３ｃの弾性変形による針クラウンガイド部５３ａの変位によって突き出し部５３Ｖｄが後退する。
【０２９３】
従って、変形例のステープルホルダ５３Ｖでも、ステープルの打ち出しに伴ってバネ部５３ｃの弾性変形で針クラウンガイド部５３ａが繰り返し変位することになり、耐久性が向上する。
【０２９４】
図５６は、スライダの動作の一例を示す要部側面図であり、次に、各図を参照して、上ハンドルユニット１１ｂにおけるリンク５８の動きをスライダ３に伝達する動作について説明する。
【０２９５】
待機状態では、図５６（ａ）に示すように、スライダ３はクリンチャロック位置に前進しており、クリンチャユニット２Ａを構成するクリンチャホルダ２１の後側ホルダ２１ｂが係止部３０に載る。これにより、クリンチャホルダ２１の下降が規制される。
【０２９６】
ドライバアーム６１は、図３５（ａ），図３６（ａ）に示すように、待機状態では、リンク５８のドライバ押圧部５８ｃとの間に空走空間６１ｃが形成され、ドライバアーム６１とリンク５８は接触していない。
【０２９７】
マガジン５０と用紙Ｐが接触せず、ドライバアーム６１とマガジンガイド５１が軸５４ｆを支点に一体的に回転している間は、ドライバアーム６１とリンク５８のドライバ押圧部５８ｃの間の空走空間６１ｃが保持される。一方、ドライバアーム６１とマガジンガイド５１が軸５４ｆを支点に一体的に回転することで、スライダ３のリンク受け部３１に対してリンク５８が変位する。
【０２９８】
スライダ３とリンク５８は、待機状態からリンク受け部３１とスライダ押圧部５８ｂが接する。そこで、スライダ３とリンク５８は、リンク受け部３１とスライダ押圧部５８ｂの形状が、軸５４ｆを支点としたマガジンガイド５１の回転に伴うリンク５８の変位では、スライダ３が移動しないように設定される。
【０２９９】
クリンチャユニット２Ａとマガジン５０の間に用紙Ｐが挟持され、ドライバアーム６１がマガジンガイド５１に対して回転すると、上述したように、１本に分離されたステープル１０Ｌあるいはステープル１０Ｓがドライバ６０により打ち出され、ステープル１０Ｌの針足１０Ｌｂあるいはステープル１０Ｓの針足１０Ｓｂが用紙Ｐを貫通する。
【０３００】
ドライバアーム６１がマガジンガイド５１に対して回転すると、ドライバアーム６１とリンク５８との間の空走空間６１ｃが徐々に狭くなる。そして、ステープル１０Ｌの針足１０Ｌｂあるいはステープル１０Ｓの針足１０Ｓｂの先端が用紙Ｐの裏面より抜けた後に、図３５（ｂ），図３６（ｂ）に示すように、ドライバアーム６１とリンク５８のドライバ押圧部５８ｃが接する。
【０３０１】
ドライバアーム６１とリンク５８のドライバ押圧部５８ｃが接触を開始した段階では、図５６（ｂ）に示すように、スライダ３はまた動かず、クリンチャホルダ２１の後側ホルダ２１ｂが係止部３０に載っており、クリンチャホルダ２１の下降が規制される。
【０３０２】
ハンドルアーム７０が更に押圧されることで、ドライバアーム６１がマガジンガイド５１に対して更に回転すると、ドライバアーム６１の回転動作でリンク５８が押圧され、図３５（ｃ），図３６（ｃ）に示すように、軸５８ａを支点にリンク５８が回転する。
【０３０３】
リンク５８が回転すると、スライダ押圧部５８ｂによってスライダ３のリンク受け部３１が押される。これにより、図５６（ｃ）に示すように、スライダ３が後退し、クリンチャホルダ２１の後側ホルダ２１ｂから係止部３０が外れ、クリンチャホルダ２１の下降が可能になる。
【０３０４】
フラットクリンチ機構及び倍力機構を備えた従来のステープラでは、リンクの先端がドライバアームに対して軸支される構成で、クリンチャとマガジンとの間に用紙が挟持され、ドライバアームがマガジンに対して回転を開始するタイミングで、リンクも回転動作を開始する。
【０３０５】
一方、スライダの作動タイミングは、ステープルが用紙を貫通する際の貫通荷重とスライダを引く荷重とを重ならせないため、ステープルの針足の先端が用紙を貫通した後である必要がある。このため、従来のステープラでは、リンクのスライダ押圧部とスライダの間に空走空間を設けている。しかし、針足が長いステープルを使用する構成では、ドライバアームのストロークが大きくリンクの作動量も大きくする必要があるため、リンクとスライダとの間の空走空間が長くなる。
【０３０６】
リンクの作動量を大きくするためには、スライダ押圧部を前方に設ける必要があり、用紙の綴じ位置の奥行き方向への挿入量を多くできない。また、リンクの作動量を大きくするため装置が大型化する。
【０３０７】
これに対して、本実施の形態では、リンク５８をマガジンガイド５１に軸支し、リンク５８のドライバ押圧部５８ｃとドライバアーム６１との間に空走空間６１ｃを設ける構成とした。また、リンク５８を、スライダ押圧部５８ｂがスライダ３のリンク受け部３１と接する方向に自重で回転する重量配分として、リンク５８のスライダ押圧部５８ｂをスライダ３のリンク受け部３１と待機位置から接触させる構成とした。
【０３０８】
リンク５８とドライバアーム６１との間に空走空間６１ｃを設けることで、クリンチャユニット２Ａとマガジン５０との間に用紙Ｐが挟持され、ドライバアーム６１がマガジンガイド５１に対して回転を開始するタイミングでは、リンク５８は回転動作を開始しない。そして、ステープル１０Ｌの針足１０Ｌｂあるいはステープル１０Ｓの針足１０Ｓｂの先端が用紙Ｐを貫通した後、リンク５８が回転動作を開始する構成とすることができる。
【０３０９】
これにより、針足１０Ｌｂの長いステープル１０Ｌを使用可能とする構成でもリンク５８の作動量を少なくして、図４及び図３５（ａ），図３６（ａ）等に示す待機状態でも、スライダ押圧部５８ｂとリンク受け部３１が常時接触するような状態を保持させ、リンク５８のスライダ押圧部５８ｂが下ハンドルフレーム４の上ハンドル取付部４０の前端より後方に位置する構成とすることができる。
【０３１０】
待機状態で、リンク５８のスライダ押圧部５８ｂが下ハンドルフレーム４の上ハンドル取付部４０の前端より後方に位置する構成とすることで、用紙ガイド４３の移動位置を、上ハンドル取付部４０の前端までにすることができる。
【０３１１】
従って、図３５（ａ）に示すように、用紙ガイド４３の位置を、上ハンドル取付部４０の前端とすれば、用紙Ｐの端部からステープル１０Ｌあるいはステープル１０Ｓの綴じ位置までの距離を長くすることができる。また、用紙ガイド４３の位置をクリンチャユニット２Ａに近づければ、用紙Ｐの端部からステープル１０Ｌあるいはステープル１０Ｓの綴じ位置までの距離を短くすることができる。
【０３１２】
図５７は、変形例のステープラで用紙を綴じる動作を示す側断面図である。本実施の形態の変形例では、リンク５８Ｄは、略Ｌ形状の一方の端部に形成されたスライダ押圧部５８ｅが、スライダ３のリンク受け部３１と接する。また、リンク５８Ｄは、他方の端部である先端が、ドライバアーム６１Ｆに対して軸支される構成で、ドライバアーム６１Ｆにリンク５８Ｄの軸５８ｆがスライド移動可能に挿入される長穴６１ｇを備えることで、空走空間６１ｈが設けられる。
【０３１３】
更に、リンク５８Ｄは、スライダ押圧部５８ｅと軸５８ｆとの間の略Ｌ形状の頂点部分に、マガジンガイド５１に載る摺動支持部５８ｇを備え、マガジンガイド５１の上面に摺動可能に支持される。
【０３１４】
リンク５８Ｄは、スライダ押圧部５８ｅがスライダ３のリンク受け部３１と接する方向に自重で回転する重量配分で構成され、スライダ押圧部５８ｅとリンク受け部３１が常時接触すると共に、軸５８ｆが長穴６１ｇの下端側に位置して空走空間６１ｈが設けられるような状態が保持される。
【０３１５】
変形例の動作について説明すると、リンク５８Ｄとドライバアーム６１Ｆは、図５７（ａ）に示すように、待機状態では、リンク５８Ｄの軸５８ｆがドライバアーム６１Ｆの長穴６１ｇの下端側に位置して空走空間６１ｈが形成される。
【０３１６】
マガジン５０と用紙Ｐが接触せず、ドライバアーム６１Ｆとマガジンガイド５１が軸５４ｆを支点に一体的に回転している間は、ドライバアーム６１Ｆの長穴６１ｇとリンク５８Ｄの軸５８ｆの間の空走空間６１ｈが保持される。一方、ドライバアーム６１Ｆとマガジンガイド５１が軸５４ｆを支点に一体的に回転することで、スライダ３のリンク受け部３１に対してリンク５８Ｄが変位する。
【０３１７】
スライダ３とリンク５８Ｄは、待機状態からリンク受け部３１とスライダ押圧部５８ｅが接する。そこで、スライダ３とリンク５８Ｄは、リンク受け部３１とスライダ押圧部５８ｅの形状が、軸５４ｆを支点としたマガジンガイド５１の回転に伴うリンク５８Ｄの変位では、スライダ３が移動しないように設定される。
【０３１８】
クリンチャユニット２Ａとマガジン５０の間に用紙Ｐが挟持され、ドライバアーム６１Ｆがマガジンガイド５１に対して回転すると、上述したように、１本に分離されたステープル１０Ｌあるいはステープル１０Ｓがドライバ６０により打ち出され、ステープル１０Ｌの針足１０Ｌｂあるいはステープル１０Ｓの針足１０Ｓｂが用紙Ｐを貫通する。
【０３１９】
ドライバアーム６１Ｆがマガジンガイド５１に対して回転すると、リンク５８Ｄの軸５８ｆに対してドライバアーム６１Ｆの長穴６１ｇが変位し、空走空間６１ｈが徐々に狭くなる。そして、ステープル１０Ｌの針足１０Ｌｂあるいはステープル１０Ｓの針足１０Ｓｂの先端が用紙Ｐの裏面より抜けた後に、図５７（ｂ）に示すように、ドライバアーム６１Ｆの長穴６１ｇの上端に、リンク５８Ｄの５８ｆが接する。
【０３２０】
ドライバアーム６１Ｆの長穴６１ｇの上端に、リンク５８Ｄの５８ｆが接触を開始した段階では、スライダ３はまた動かず、クリンチャホルダ２１の後側ホルダ２１ｂが係止部３０に載っており、クリンチャホルダ２１の下降が規制される。
【０３２１】
ハンドルアーム７０が更に押圧されることで、ドライバアーム６１Ｆがマガジンガイド５１に対して更に回転すると、ドライバアーム６１Ｆの回転動作で長穴６１ｇが軸５８ｆを押すことでリンク５８Ｄが押圧され、図５７（ｃ）に示すように、摺動支持部５８ｇとマガジンガイド５１との接点を移動支点としてリンク５８Ｄが回転する。
【０３２２】
リンク５８Ｄが回転すると、スライダ押圧部５８ｅによってスライダ３のリンク受け部３１が押される。これにより、スライダ３が後退し、クリンチャホルダ２１の後側ホルダ２１ｂから係止部３０が外れ、クリンチャホルダ２１の下降が可能になる。
【０３２３】
変形例であっても、リンク５８Ｄの軸５８ｆとドライバアーム６１Ｆの長穴６１ｇにより空走空間６１ｈを設けることで、リンク５８Ｄの作動量を少なくすることができる。
【０３２４】
なお、他の変形例として、リンクがドライバアームに対して軸支される構成で、ドライバアームにリンクの軸がスライド移動可能に挿入される長穴を設けることで、リンクがドライバアームの動く方向に沿って移動可能にガイドされる。また、リンクは、略Ｌ形状の一方の端部に形成されたスライダ押圧部がスライダと接し、他方の端部に形成されたドライバ押圧部がドライバアームに押圧される。そして、ドライバ押圧部とドライバアームの間に空走空間を設ける構成としても良い。また、リンクの形状は、Ｌ形状に限るものではなく、一端側にスライダとの接触部、他端側にドライバアームとの接触部が形成できれば良い。
【０３２５】
図５８〜図６０は、クリンチャユニットの動作の一例を示す動作説明図で、次に、各図を参照して、フラットクリンチ機構の動作について説明する。
【０３２６】
用紙Ｐが所定の位置に載置され、上ハンドルカバー７１が押されると、上述したように、１本に分離されたステープル１０Ｌあるいはステープル１０Ｓがドライバ６０により打ち出され、図５８（ａ）に示すように、ステープル１０Ｌの針足１０Ｌｂあるいはステープル１０Ｓの針足１０Ｓｂが用紙Ｐに刺さり、貫通を開始する。ステープル１０Ｌの針足１０Ｌｂあるいはステープル１０Ｓの針足１０Ｓｂが用紙Ｐの貫通を開始した段階では、スライダ３はまた動かず、図５６（ａ）で説明したように、クリンチャホルダ２１の後側ホルダ２１ｂが係止部３０に載っており、クリンチャホルダ２１の下降が規制される。
【０３２７】
ステープル１０Ｌあるいはステープル１０Ｓがドライバ６０により更に打ち出され、針足１０Ｌｂあるいは針足１０Ｓｂの先端が用紙Ｐを貫通して用紙Ｐの裏面から突出すると、一方の針足１０Ｌｂあるいは針足１０Ｓｂがクリンチャ２０Ｌを押し、他方の針足１０Ｌｂあるいは針足１０Ｓｂがクリンチャ２０Ｒを押す。針足１０Ｌｂあるいは針足１０Ｓｂの先端が用紙Ｐの裏面から突出を開始した段階では、図５６（ｂ）に示すように、スライダ３はまた動かず、クリンチャホルダ２１の後側ホルダ２１ｂが係止部３０に載っており、クリンチャホルダ２１の下降が規制される。
【０３２８】
クリンチャ２０Ｌは、仕切り板２６のバネ部２６Ｌｃで側面が押圧され、クリンチャ２０Ｒは、仕切り板２６のバネ部２６Ｒｃで側面が押圧されており、向きを保つように構成されている。但し、仕切り板２６のバネ部による押圧力より、ドライバ６０の押圧によるステープル１０Ｌ及びステープル１０Ｓの押圧力の方が強い。
【０３２９】
これにより、図５８（ｂ），図６０（ａ）に示すように、クリンチャ２０Ｌは、ステープル１０Ｌの一方の針足１０Ｌｂあるいはステープル１０Ｓの一方の針足１０Ｓｂにクリンチャ面２０Ｌａが押されることで、軸２０Ｌｃを支点に下方へ回転する。また、クリンチャ２０Ｒは、ステープル１０Ｌの他方の針足１０Ｌｂあるいはステープル１０Ｓの他方の針足１０Ｓｂにクリンチャ面２０Ｒａが押されることで、軸２０Ｒｃを支点に下方へ回転する。
【０３３０】
ステープル１０Ｌあるいはステープル１０Ｓがドライバ６０により更に打ち出され、針足１０Ｌｂあるいは針足１０Ｓｂの先端が用紙Ｐを貫通すると、上述したリンク５８の動作で、図５６（ｃ）に示すようにスライダ３が後退し、クリンチャホルダ２１の後側ホルダ２１ｂから係止部３０が外れ、クリンチャホルダ２１の下降が可能になる。
【０３３１】
これにより、上ハンドルカバー７１が押されてマガジン５０が用紙Ｐを介してクリンチャホルダ２１を押す力で、図５９（ａ）に示すように、クリンチャホルダ２１が下降する。クリンチャホルダ２１の下降動作で、クリンチャリンク２２Ｌは、軸２２Ｌａを支点に上端側がクリンチャリンク２２Ｒに近づく方向に回転する。また、クリンチャホルダ２１の下降動作で、クリンチャリンク２２Ｒは、軸２２Ｒａを支点に上端側がクリンチャリンク２２Ｌに近づく方向に回転する。
【０３３２】
このように、クリンチャホルダ２１の下降動作で、クリンチャリンク２２Ｌは、軸２０Ｌｃがガイド穴２１Ｌに沿って移動し、クリンチャリンク２２Ｒは、軸２０Ｒｃがガイド穴２１Ｒに沿って移動して、軸２０Ｌｃと軸２０Ｒｃの間隔が狭くなる。よって、クリンチャホルダ２１の下降動作で、クリンチャ２０Ｌとクリンチャ２０Ｒが近づく方向に水平移動する。
【０３３３】
また、クリンチャホルダ２１の下降動作で、クリンチャ２０Ｌは、押圧面２０Ｌｂがクリンチャ受２３に押圧され、クリンチャ２０Ｒは、押圧面２０Ｒｂがクリンチャ受２３に押圧される。
【０３３４】
これにより、クリンチャ２０Ｌは、クリンチャ受２３に押圧面２０Ｌｂが押し上げられることで、軸２０Ｌｃを支点に上方へ回転し、クリンチャ２０Ｒは、クリンチャ受２３に押圧面２０Ｒｂが押し上げられることで、軸２０Ｒｃを支点に上方へ回転する。
【０３３５】
従って、クリンチャ２０Ｌとクリンチャ面２０Ｌａで接するステープル１０Ｌの一方の針足１０Ｌｂあるいはステープル１０Ｓの一方の針足１０Ｓｂと、クリンチャ２０Ｒとクリンチャ面２０Ｒａで接する他方の針足１０Ｌｂあるいは針足１０Ｓｂには、クリンチャ２０Ｌとクリンチャ２０Ｒが近づく方向に移動することで、それぞれ内側に折り曲げられる力が加えられる。そして、クリンチャ２０Ｌとクリンチャ２０Ｒが上方に向けて回転することで、それぞれ内側に折り曲げられる。
【０３３６】
上ハンドルカバー７１が押されてマガジン５０が用紙Ｐを介してクリンチャホルダ２１を押す力で、クリンチャホルダ２１が最下端位置まで下降すると、図５９（ｂ）に示すように、クリンチャ受２３に押し上げられたクリンチャ２０Ｌとクリンチャ２０Ｒが略水平位置に復帰する。これにより、用紙Ｐを貫通したステープル１０Ｌの針足１０Ｌｂあるいはステープル１０Ｓの針足１０Ｓｂが、用紙Ｐの面に沿うように曲げられてクリンチが完了する。
【０３３７】
左右一対のクリンチャの回転動作でステープルの針足を折り曲げる構成では、用紙の綴じ枚数が多く、用紙の裏面からの針足の突出量が少ない場合、クリンチャの回転支点より上側でクリンチャ面に針足が当たる。このような状態で、針足の折り曲げを開始する動きとしてクリンチャが回転をすると、針足を外側に持ち上げるような力が掛かる。
【０３３８】
これに対して、本実施の形態では、針足１０Ｌｂあるいは針足１０Ｓｂの折り曲げを開始する動きとして、クリンチャ２０Ｌとクリンチャ２０Ｒを近づける方向に移動させることで、針足１０Ｌｂあるいは針足１０Ｓｂを内側に折り曲げる力を加えることができる。これにより、クリンチャ２０Ｌ，２０Ｒの回転支点より上側でクリンチャ面２０Ｌａ，２０Ｌｂに針足１０Ｌｂあるいは針足１０Ｓｂが当たる状態でも、針足１０Ｌｂあるいは針足１０Ｓｂを内側に折り曲げる力を加えて、確実なクリンチ動作を行うことができる。
【０３３９】
クリンチ終了後、上ハンドルカバー７１を押す力を解除すると、図示しないリターンスプリングにより上ハンドルユニット１１ｂが押し上げられる。クリンチャホルダ２１を押す力が解除されると、リターンバネ２５によりクリンチャホルダ２１が押し上げられる。
【０３４０】
クリンチャホルダ２１の上昇動作で、クリンチャリンク２２Ｌは、軸２２Ｌａを支点に上端側がクリンチャリンク２２Ｒから離れる方向に回転する。また、クリンチャホルダ２１の上昇動作で、クリンチャリンク２２Ｒは、軸２２Ｒａを支点に上端側がクリンチャリンク２２Ｌから離れる方向に回転する。
【０３４１】
このように、クリンチャホルダ２１の上昇動作で、クリンチャリンク２２Ｌは、軸２０Ｌｃがガイド穴２１Ｌに沿って移動し、クリンチャリンク２２Ｒは、軸２０Ｒｃがガイド穴２１Ｒに沿って移動して、軸２０Ｌｃと軸２０Ｌｃの間隔が広くなる。
【０３４２】
クリンチャ受２３に押し上げられて略水平位置に復帰したクリンチャ２０Ｌは、仕切り板２６のバネ部２６Ｌｃで側面が押圧され、クリンチャ２０Ｒは、仕切り板２６のバネ部２６Ｒｃで側面が押圧される。
【０３４３】
これにより、略水平位置に復帰したクリンチャ２０Ｌとクリンチャ２０Ｒは、自重で下方へ回転することなく略水平な位置を保ちながら、図６０（ｂ）〜図６０（ｃ）に示すように、クリンチャホルダ２１の上昇動作で、クリンチャ２０Ｌとクリンチャ２０Ｒが離れる方向に移動する。そして、クリンチャユニット２Ａが待機位置に復帰する。
【０３４４】
左右一対のクリンチャの回転動作でステープルの針足を折り曲げる構成では、クリンチャは回転方向への付勢力は受けておらず、針足による押圧で下方に回転し、クリンチャ受けによる押し上げで復帰する。このため、クチンチャユニットが待機位置にある状態で、クリンチャが下方に回転した状態となることがある。
【０３４５】
このような状態では、クリンチャホルダの内側に空間が形成されることになり、異物が入る原因となる。また、外観性が悪いと感じられる場合がある。
【０３４６】
これに対して、本実施の形態では、仕切り板２６に設けたバネ部２６Ｌｃ，２６Ｒｃで、クリンチャ２０Ｌ，２０Ｒの向きを保持することができるので、略水平位置にあるクリンチャ２０Ｌとクリンチャ２０Ｒの向きを、ステープル１０Ｌの針足１０Ｌｂあるいはステープル１０Ｓの針足１０Ｓｂによる押圧まで保持することができる。
【０３４７】
これにより、図１８等に示すように、待機状態では、クリンチャカバー４２の開口がクリンチャ２０Ｌ，２０Ｒで塞がれた形態となり、異物が入る原因を排除することができる。また、外観性を向上させることができる。
【０３４８】
図６１は、クリンチャユニットの変形例を示す分解斜視図、図６２は変形例のクリンチャユニットの動作の一例を示す動作説明図である。変形例のクリンチャユニット２Ｂは、クリンチャ駆動機構として、溝によるガイドでクリンチャを回転及び離接する方向に移動させる。
【０３４９】
クリンチャユニット２Ｂは、用紙を貫通したステープル１０Ｌの針足１０Ｌｂあるいはステープル１０Ｓの針足１０Ｓｂを折り曲げる一対のクリンチャ２７Ｌ，２７Ｒと、クリンチャ２７Ｌとクリンチャ２７Ｒを支持するクリンチャホルダ２８を備える。
【０３５０】
また、クリンチャユニット２Ｂは、クリンチャホルダ２８の昇降方向への移動をガイドすると共に、クリンチャ２７Ｌ，２７Ｒの回転及び離接する方向への移動をガイドするホルダガイド２９を備える。更に、クリンチャユニット２Ｂは、クリンチャホルダ２８の昇降動作でクリンチャ２７Ｌ，２７Ｒを押し上げるクリンチャ受２９ａを備える。
【０３５１】
クリンチャユニット２Ｂは、クリンチャ２７Ｌとクリンチャ２７Ｒが、ステープル１０Ｌの針クラウン１０Ｌａあるいはステープル１０Ｓの針クラウン１０Ｓａに沿った左右方向、及び針クラウン１０Ｌａ，針クラウン１０Ｓａに対して直交する前後方向に位置をずらして配置される。
【０３５２】
クリンチャ２７Ｌは、ステープル１０Ｌの一方の針足１０Ｌｂあるいはステープル１０Ｓの一方の針足１０Ｓｂに対向して配置され、針足１０Ｌｂあるいは針足１０Ｓｂに対向する上面に、前後方向に位置をずらして配置されるクリンチャ２７Ｒに向けて下降する方向に傾斜したクリンチャ面２７Ｌａが形成される。また、クリンチャ２７Ｌは、クリンチャ受２９ａに対向する一方の端部側の下面に、クリンチャ受２９ａに押圧される押圧面２７Ｌｂが形成される。
【０３５３】
クリンチャ２７Ｌは、軸２７Ｌｃによりクリンチャホルダ２８のガイド穴２８Ｌａに回転及び水平方向に移動可能に支持される。また、クリンチャ２７Ｌは、他方の端部側が、軸２７Ｌｄによりクリンチャホルダ２８のガイド穴２８Ｌｂ及びホルダガイド２９のガイド穴２９Ｌｂに沿って移動可能に支持される。
【０３５４】
クリンチャ２７Ｒは、ステープル１０Ｌの他方の針足１０Ｌｂあるいはステープル１０Ｓの他方の針足１０Ｓｂに対向して配置され、針足１０Ｌｂあるいは針足１０Ｓｂに対向する上面に、前後方向に位置をずらして配置されるクリンチャ２７Ｌに向けて下降する方向に傾斜したクリンチャ面２７Ｒａが形成される。また、クリンチャ２７Ｒは、クリンチャ受２９ａに対向する一方の端部側の下面に、クリンチャ受２９ａに押圧される押圧面２７Ｒｂが形成される。
【０３５５】
クリンチャ２７Ｒは、軸２７Ｒｃによりクリンチャホルダ２８のガイド穴２８Ｒａに回転及び水平方向に移動可能に支持される。また、クリンチャ２７Ｒは、他方の端部側が、軸２７Ｒｄによりクリンチャホルダ２８のガイド穴２８Ｒｂ及びホルダガイド２９のガイド穴２９Ｒｂに沿って移動可能に支持される。
【０３５６】
クリンチャホルダ２８は、ガイド穴２８Ｌａ及びガイド穴２８Ｒａが、水平方向に延在する長穴で構成される。また、クリンチャホルダ２８は、ガイド穴２８Ｌｂ及びガイド穴２８Ｒｂが、上端側より下端側の間隔が狭くなる方向に傾斜した長穴で構成される。
【０３５７】
ホルダガイド２９は、ガイド穴２９Ｌｂ及びガイド穴２９Ｒｂが、上端側より下端側の間隔が狭くなる方向に傾斜した長穴で構成される。クリンチャユニット２Ｂは、ホルダガイド２９のガイド穴２９Ｌｂ及びガイド穴２９Ｒｂを通るクリンチャ２７Ｌ，２７Ｒの軸２７Ｌｄ，２７Ｒｄの軌跡と、クリンチャ受２９ａによりクリンチャ２７Ｌ，２７Ｒを押し上げる動作で、クリンチャ２７Ｌとクリンチャ２７Ｒを回転及び離接する方向に移動させる。
【０３５８】
変形例のクリンチャユニットの動作について説明すると、図６２（ａ）に示すように、ステープル１０Ｌの針足１０Ｌｂあるいはステープル１０Ｓの針足１０Ｓｂの先端が用紙Ｐを貫通して用紙Ｐの裏面から突出すると、一方の針足１０Ｌｂあるいは針足１０Ｓｂがクリンチャ２７Ｌに接触し、他方の針足１０Ｌｂあるいは針足１０Ｓｂがクリンチャ２７Ｒに接触する。針足１０Ｌｂあるいは針足１０Ｓｂの先端が用紙Ｐの裏面から突出を開始した段階では、クリンチャホルダ２８の下降が規制される。
【０３５９】
ステープル１０Ｌあるいはステープル１０Ｓが更に打ち出され、針足１０Ｌｂあるいは針足１０Ｓｂの先端が用紙Ｐを貫通するとクリンチャホルダ２８の下降が可能になる。これにより、用紙Ｐを介してクリンチャホルダ２８を押す力で、図６２（ｂ）に示すように、クリンチャホルダ２８が下降する。
【０３６０】
クリンチャホルダ２８の下降動作で、クリンチャ２７Ｌは、クリンチャホルダ２８のガイド穴２８Ｌａにガイドされる軸２７Ｌｃが、クリンチャ２７Ｒに近づく方向に移動し、ホルダガイド２９のガイド穴２９Ｌｂにガイドされる軸２７Ｌｄが、クリンチャ２７Ｒに近づく方向に移動する。また、クリンチャホルダ２８の下降動作で、クリンチャ２７Ｒは、クリンチャホルダ２８のガイド穴２８Ｒａにガイドされる軸２７Ｒｃが、クリンチャ２７Ｌに近づく方向に移動し、ホルダガイド２９のガイド穴２９Ｒｂにガイドされる軸２７Ｒｄが、クリンチャ２７Ｌに近づく方向に移動する。
【０３６１】
これにより、クリンチャ２７Ｌ，２７Ｒは、クリンチャホルダ２８の下降動作で、軸２７Ｌｃと軸２７Ｒｃとの間隔が狭くなり、クリンチャ２７Ｌとクリンチャ２７Ｒが近づく方向に移動する。
【０３６２】
また、クリンチャホルダ２８の下降動作で、クリンチャ２７Ｌは、押圧面２７Ｌｂがクリンチャ受２９ａに押圧され、クリンチャ２７Ｒは、押圧面２７Ｒｂがクリンチャ受２９ａに押圧される。
【０３６３】
これにより、クリンチャ２７Ｌは、クリンチャホルダ２８のガイド穴２８Ｌａにガイドされる軸２７Ｌｃを支点に上方へ回転し、クリンチャ２７Ｒは、クリンチャホルダ２８のガイド穴２８Ｒａにガイドされる軸２７Ｒｃを支点に上方へ回転する。
【０３６４】
従って、クリンチャ２７Ｌとクリンチャ面２７Ｌａで接するステープル１０Ｌの一方の針足１０Ｌｂあるいはステープル１０Ｓの一方の針足１０Ｓｂと、クリンチャ２７Ｒとクリンチャ面２７Ｒａで接する他方の針足１０Ｌｂあるいは針足１０Ｓｂには、クリンチャ２７Ｌとクリンチャ２７Ｒが近づく方向に移動することで、それぞれ内側に折り曲げられる力が加えられる。そして、クリンチャ２７Ｌとクリンチャ２７Ｒが上方に向けて回転することで、それぞれ内側に折り曲げられる。
【０３６５】
クリンチャホルダ２８が最下端位置まで下降すると、図６２（ｃ）に示すように、クリンチャ受２９ａに押し上げられたクリンチャ２７Ｌとクリンチャ２７Ｒが略水平位置になる。これにより、用紙Ｐを貫通したステープル１０Ｌの針足１０Ｌｂあるいはステープル１０Ｓの針足１０Ｓｂが、用紙Ｐの面に沿うように曲げられてクリンチが完了する。
【０３６６】
次に、各図を参照して、用紙Ｐを貫通した針足１０Ｌｂあるいは針足１０Ｓｂを前後にずらして折り曲げる動作について説明する。クリンチャ２０Ｌとクリンチャ面２０Ｌａで接するステープル１０Ｌの一方の針足１０Ｌｂあるいはステープル１０Ｓの一方の針足１０Ｓｂと、クリンチャ２０Ｒとクリンチャ面２０Ｒａで接する他方の針足１０Ｌｂあるいは針足１０Ｓｂは、クリンチャ２０Ｌとクリンチャ２０Ｒが近づく方向に移動する動作と、上方に向けて回転する動作で、それぞれ内側に折り曲げられる。
【０３６７】
クリンチャユニット２Ａは、ステープル１０Ｌの針クラウン１０Ｌａ及びステープル１０Ｓの針クラウン１０Ｓａに対して傾けられて配置され、クリンチャ２０Ｌとクリンチャ２０Ｒは、図１６に示すように、ステープル１０Ｌの針クラウン１０Ｌａ及びステープル１０Ｓの針クラウン１０Ｓａに対して傾けられ、かつ、前後に位置をずらして配置される。
【０３６８】
これにより、クリンチャ２０Ｌ，２０Ｒの水平移動及び回転動作で、ステープル１０Ｌの一方の針足１０Ｌｂあるいはステープル１０Ｓの一方の針足１０Ｓｂは、図１７に示すクリンチャ面２０Ｌａの傾斜により、クリンチャ２０Ｒ側に近づく矢印ＮＬ方向に誘導されながら、斜めに曲げられる。また、他方の針足１０Ｌｂあるいは針足１０Ｓｂは、クリンチャ面２０Ｒａの傾斜により、クリンチャ２０Ｌ側に近づく矢印ＮＲ方向に誘導されながら、斜めに曲げられる。
【０３６９】
ステープル１０Ｌの一方の針足１０Ｌｂと他方の針足１０Ｌｂあるいはステープル１０Ｓの一方の針足１０Ｓｂと他方の針足１０Ｓｂは、互いが近づく方向に移動しながら折り曲げられて、それぞれ仕切り板２６の仕切り部２６ｂに接する。
【０３７０】
これにより、針足の長いステープル１０Ｌであっても、用紙Ｐの綴じ枚数が少ない場合、図１１（ｄ）に示すように、２本の針足１０Ｌｂが仕切り板２６の板厚分の隙間を開けて重ならずに折り曲げられる。
【０３７１】
クリンチャに溝を設けて針足をガイドする構成では、溝と溝の間の凸部の厚さが必要で、針足の間隔を狭くすることができない。また、クリンチャの間に仕切りが無いと、針足同士が重なる可能性がある。
【０３７２】
本実施の形態では、仕切り板２６を利用してクリンチャ２０Ｌとクリンチャ２０Ｒを仕切ることで、２本の針足１０Ｌｂを重ねることなく狭い隙間で折り曲げることができる。仕切り板２６は、クリンチャ２０Ｌ，２０Ｒの向きを保つバネとしても機能するので、ステープル１０Ｌに対して強度の高い薄鋼板で構成することができる。
【０３７３】
これにより、２本の針足１０Ｌｂの隙間を、仕切り板２６で規定される最低限の隙間とすることができる。
【０３７４】
次に、各図を参照して、クリンチャユニット２Ａの向きを待機状態と押圧を受けた状態で同じ向きに保つ動作について説明する。図１９及び図２０で説明したように、クリンチャホルダ２１は、クリンチャ２０Ｌ，２０Ｒに対して後方に位置する後側ホルダ２１ｂがリターンバネ２５で押し上げられ、クリンチャ２０Ｌ，２０Ｒに対して前方に位置する前側ホルダ２１ａが、軸２２Ｌａ，２２Ｒａで上方向への移動が規制される。
【０３７５】
これにより、クリンチャ２０Ｌ，２０Ｒが取り付けられたクリンチャホルダ２１は、リターンバネ２５で押し上げられる待機状態で、矢印Ｆ１で示す前傾した状態を保つ。
【０３７６】
ステープル１０Ｌの針足１０Ｌｂあるいはステープル１０Ｓの針足１０Ｓｂが用紙Ｐを貫通する力で、用紙Ｐを介してクリンチャホルダ２１が下方へ押されると、貫通荷重Ｆ２がクリンチャホルダ２１に掛かる。クリンチャホルダ２１は、後側ホルダ２１ｂがスライダ３の係止部３０に載った状態であり、貫通荷重Ｆ２が掛かると、やはり矢印Ｆ１で示す前傾した状態を保つ。
【０３７７】
クリンチャホルダ２１の昇降は、クリンチャガイド２４ａでガイドされるが、高さ方向の寸法を短くするため、クリンチャガイド２４ａの高さが短くなってくると、前後方向への傾きが生じやすくなる。
【０３７８】
貫通荷重か掛かる前後でクリンチャの向きが変化すると、用紙の位置がずれることで用紙を貫通している間に用紙内で針足が前後にずれ、用紙を針足が貫通せずに綴じられない場合がある。本実施の形態では、貫通荷重が掛かる前後で、クリンチャホルダ２１の向きが変わらないので、用紙Ｐのずれを抑えることができ、ステープル１０Ｌ及びステープル１０Ｓの針足を確実に貫通させることができる。
【０３７９】
なお、本実施の形態では、クリンチャユニット２Ａの後方にスライダ３が配置されるので、後側ホルダ２１ｂに押し上げ力を掛けるようにしたが、クリンチャユニットの前方にスライダ３が配置される構成であれば、前側ホルダに押し上げ力を掛けるようにすれば、貫通荷重が掛かる前後でクリンチャホルダの向きを同じにすることができる。
【０３８０】
次に、各図を参照して、マガジン５０のロック機構５４の動作について説明する。図３１（ａ）に示すように、マガジン５０がマガジンガイド５１に収納された状態では、マガジン５０に取り付けられたステープルガイド５２の後端側と、マガジンストッパ５４ａのバネ押圧部５４ｅとの間でマガジンロックバネ５４ｃが圧縮される。
【０３８１】
マガジンストッパ５４ａは、バネ押圧部５４ｅが押圧されることで、ロック爪５４ｄがマガジン５０のロック開口部５０ｅに嵌まる方向に、軸５４ｆを支点に回転し、ロック爪５４ｄがロック開口部５０ｅに嵌まる。これにより、マガジン５０は、マガジンガイド５１に収納された状態が保持される。
【０３８２】
図３１（ｂ）に示すように、プッシャスイッチ５４ｂは、スイッチ部５４ｇが押されると、軸５４ｈを介して連結されたマガジンストッパ５４ａを、軸５４ｆを支点に回転させて、マガジンストッパ５４ａのロック爪５４ｄをマガジン５０のロック開口部５０ｅから外す。
【０３８３】
マガジンストッパ５４ａのロック爪５４ｄがマガジン５０のロック開口部５０ｅから外れると、圧縮されていたマガジンロックバネ５４ｃが復元する力で、マガジン５０が前方に押圧され、マガジンガイド５１からマガジン５０が引き出される。
【０３８４】
マガジン５０を収納する際には、マガジン５０をマガジンガイド５１に押し込んで行くと、マガジン５０のステープルガイド５２が、マガジンロックバネ５４ｃを介してマガジンストッパ５４ａのバネ押圧部５４ｅを押圧する。これにより、マガジンストッパ５４ａは、ロック爪５４ｄがマガジン５０のロック開口部５０ｅに嵌まる方向に軸５４ｆを支点に回転し、ロック爪５４ｄがロック開口部５０ｅに嵌まる。
【０３８５】
マガジンをスライドさせる構成では、ステープルを押圧するプッシャスプリングの力を利用して、マガジンが突出するようにしていた。このため、収納されているステープルの本数が多い場合は、マガジンの突出量が多くなるが、ステープルの本数が少ない、あるいはステープルが収納されていない状態では、マガジンの突出量が少なくなる。
【０３８６】
これに対して、本実施の形態では、マガジンロックバネ５４ｃは、マガジン５０内のステープル１０Ｌあるいはステープル１０Ｓの残数によらず、ロック機構５４がロックされることで一定の押圧力を受け、マガジン５０の突出量を略一定とすることができる。
【産業上の利用可能性】
【０３８７】
本発明は、針足の長いステープルを使用して用紙の綴じ枚数を増やせるようにしたステープラで、針足の短いステープルを共用できるようにしたステープラに適用される。
【符号の説明】
【０３８８】
１Ａ・・・ステープラ、１０Ｌ，１０Ｓ・・・ステープル、１０Ｌａ，１０Ｓａ・・・針クラウン、１０Ｌｂ，１０Ｓｂ・・・針足、１１ａ・・・下ハンドルユニット、１１ｂ・・・上ハンドルユニット、２Ａ，２Ｂ・・・クリンチャユニット、２０Ｌ，２０Ｒ・・・クリンチャ、３・・・スライダ、４・・・下ハンドルフレーム、５・・・マガジンユニット、５０・・・マガジン、５１・・・マガジンガイド、５２・・・ステープルガイド、５３・・・ステープルホルダ、５３ａ・・・針クラウンガイド部、５３ｂ・・・取付部、５３ｃ・・・バネ部、５３ｄ・・・突き出し部、５３ｅ・・・連結部、５４・・・ロック機構、５５・・・プッシャ、５５ａ・・・プッシャスプリング、５８・・・リンク、６・・・ドライバユニット、６０・・・ドライバ、７・・・ハンドルユニット
【図１】
0005870747.tif 000002
【図２】
0005870747.tif 000003
【図３】
0005870747.tif 000004
【図４】
0005870747.tif 000005
【図５】
0005870747.tif 000006
【図６】
0005870747.tif 000007
【図７】
0005870747.tif 000008
【図８】
0005870747.tif 000009
【図９】
0005870747.tif 000010
【図１０】
0005870747.tif 000011
【図１１】
0005870747.tif 000012
【図１２】
0005870747.tif 000013
【図１３】
0005870747.tif 000014
【図１４】
0005870747.tif 000015
【図１５】
0005870747.tif 000016
【図１６】
0005870747.tif 000017
【図１７】
0005870747.tif 000018
【図１８】
0005870747.tif 000019
【図１９】
0005870747.tif 000020
【図２０】
0005870747.tif 000021
【図２１】
0005870747.tif 000022
【図２２】
0005870747.tif 000023
【図２３】
0005870747.tif 000024
【図２４】
0005870747.tif 000025
【図２５】
0005870747.tif 000026
【図２６】
0005870747.tif 000027
【図２７】
0005870747.tif 000028
【図２８】
0005870747.tif 000029
【図２９】
0005870747.tif 000030
【図３０】
0005870747.tif 000031
【図３１】
0005870747.tif 000032
【図３２】
0005870747.tif 000033
【図３３】
0005870747.tif 000034
【図３４】
0005870747.tif 000035
【図３５】
0005870747.tif 000036
【図３６】
0005870747.tif 000037
【図３７】
0005870747.tif 000038
【図３８】
0005870747.tif 000039
【図３９】
0005870747.tif 000040
【図４０】
0005870747.tif 000041
【図４１】
0005870747.tif 000042
【図４２】
0005870747.tif 000043
【図４３】
0005870747.tif 000044
【図４４】
0005870747.tif 000045
【図４５】
0005870747.tif 000046
【図４６】
0005870747.tif 000047
【図４７】
0005870747.tif 000048
【図４８】
0005870747.tif 000049
【図４９】
0005870747.tif 000050
【図５０】
0005870747.tif 000051
【図５１】
0005870747.tif 000052
【図５２】
0005870747.tif 000053
【図５３】
0005870747.tif 000054
【図５４】
0005870747.tif 000055
【図５５】
0005870747.tif 000056
【図５６】
0005870747.tif 000057
【図５７】
0005870747.tif 000058
【図５８】
0005870747.tif 000059
【図５９】
0005870747.tif 000060
【図６０】
0005870747.tif 000061
【図６１】
0005870747.tif 000062
【図６２】
0005870747.tif 000063